(57)【要約】【課題】遮蔽型二対結合線路の対の内部導体間の高周波結合度を予定値から変化させずに、第１及び第２の同軸ケーブルのポートを遮蔽型二対結合線路の第１及び第３（又は第２及び第４）のポートにそれぞれ連結し且つ遮蔽型二対結合線路の第５及び第７（又は第６及び第８）のポートを自身の第１の外部導体に連結する。【解決手段】遮蔽型二対結合線路が、第１及び第３（又は第２及び第４）のポート、及び第５及び第７のポート（又は第６及び第８）を導電性ブロックの底板部上の第１の遮蔽用導体板の第１及び第２の切欠、及び第１及び第２のポート挿入用貫通孔内にそれぞれ位置させて、導電性ブロックに固定され、その状態で、遮蔽型二対結合線路の第５及び第７（又は第６及び第８）のポートが第１の遮蔽用導体板に連結され、且つ遮蔽型二対結合線路の第１及び第３（又は第２及び第４）のポートが第１及び第２の同軸ケーブルのポートにそれぞれ連結できるようにする。【選択図】　　　　図１
2004055156.tif 000002
【特許請求の範囲】
【請求項１】
（Ａ）（ａ）（ｉ）第１及び第２の端面を有する第１の絶縁柱体内に、▲１▼対の第１及び第２の内部導体が、それらの一方の遊端を上記第１の端面から第１及び第３のポートとしてそれぞれ外方に延長させ、他方の遊端を上記第２の端面から第２及び第４のポートとしてそれぞれ外方に延長させている状態で、上記第１の絶縁柱体の軸線を含む第１の面上において上記第１の絶縁柱体の軸線からみて互いに対称に且つ上記第１の絶縁柱体の軸線と平行な関係を保って延長配列され、且つ、▲２▼　対の第３及び第４の内部導体が、それらの一方の遊端を上記第１の端面から第５及び第７のポートとしてそれぞれ外方に延長させ、他方の遊端を上記第２の端面から第６及び第８のポートとしてそれぞれ外方に延長させている状態で、上記第１の絶縁柱体の軸線を含む上記第１の面と直交する第２の面上において上記第１の絶縁柱体の軸線からみて互いに対称に且つ上記第１の絶縁柱体の軸線と平行な関係を保って延長配列されているとともに、（ｉｉ）上記第１の絶縁柱体の周りにその全長に亘って第１の外部導体が配されている遮蔽型二対結合線路を、（ｂ）（ｉ）第２の絶縁柱体内に第５の内部導体が、その一方の遊端を上記第２の絶縁柱体の一方の端面から第９のポートとして外方に延長させている状態で、上記第２の絶縁柱体の軸線上に延長して配列されているとともに、上記第２の絶縁柱体の周りに第２の外部導体が配されている第１の同軸ケーブルと、（ｉｉ）第３の絶縁柱体内に第６の内部導体が、その一方の遊端を上記第３の絶縁柱体の一方の端面から第１０のポートとして外方に延長させている状態で、上記第３の絶縁柱体の軸線上に延長して配列されているとともに、上記第３の絶縁柱体の周りに第３の外部導体が配されている第２の同軸ケーブルとに連結するための遮蔽型二対結合線路コネクタであって、
（Ｂ）（ａ）上記遮蔽型二対結合線路の上記第１の端面側の端部が挿通される第１の遮蔽型二対結合線路端部挿通孔を有する底板部と、（ｂ）その底板部の左端部及び右端部からそれらとそれぞれ一体に互いに対向して上方にそれぞれ延長し且つ後記第１の内部導体内装絶縁柱体の第１１のポート側の端部及び後記第２の内部導体内装絶縁柱体の第１２のポート側の端部がそれぞれ左方及び右方から挿通される第１及び第２の内部導体内装絶縁柱体端部挿通孔をそれぞれ有する左板部及び右板部と、（ｃ）（ｉ）上記左板部及び上記右板部からそれらとそれぞれ一体に左方及び右方にそれぞれ延長し、且つ（ｉｉ）上記左板部の第１の内部導体内装絶縁柱体端部挿通孔及び上記右板部の第２の内部導体内装絶縁柱体端部挿通孔にそれぞれ同心的に連通している、後記第１及び第２の内部導体内装絶縁柱体をそれぞれ左方及び右方から配置させるための第１及び第２の内部導体内装絶縁柱体配置孔をそれぞれ有するとともに、外周に第１及び第２の外部導体連結用部をそれぞれ形成している第１及び第２の内部導体内装絶縁柱体配置用導体部と、（ｄ）（ｉ）上記底板部からそれと一体にまたはそれと連結して下方に延長し、且つ（ｉｉ）上記底板部の第１の遮蔽型二対結合線路端部挿通孔に同心的に連通している、上記遮蔽型二対結合線路の端部を下方から挿通させるための第２の遮蔽型二対結合線路端部挿通孔を有する遮蔽型二対結合線路端部挿通用導体部とを有する導電性ブロックと、
（Ｃ）上記導電性ブロックの底板部上に、上記導電性ブロックの左板部及び右板部間に上記底板部の第１の遮蔽型二対結合線路端部挿通孔を覆って延長している状態に、上記底板部と連結して固定配置されるまたは固定配置されている第１の遮蔽用導体板と、
（Ｄ）上記導電性ブロックの底板部上に上記第１の遮蔽用導体板が固定配置されている状態で、その第１の遮蔽用導体板上に、上記導電性ブロックの左板部及び右板部間に延長している状態に上記第１の遮蔽用導体板と連結して固定配置されるまたは固定配置されている第２の遮蔽用導体板と、
（Ｅ）第４の絶縁柱体内に、一方の端部に第１の内部導体連結用部を形成している第７の内部導体が、その上記第１の内部導体連結用部を上記第４の絶縁柱体の一方の端面側において外部に臨ませ且つ上記第１の内部導体連結用部の他方の端部を上記第４の絶縁柱体の他方の端面から第１１のポートとして外方に延長させている状態で、上記第４の絶縁柱体の軸上に延長して固定配置されている第１の内部導体内装絶縁柱体と、
（Ｆ）第５の絶縁柱体内に、一方の端部に第２の内部導体連結用部を形成している第８の内部導体が、その上記第２の内部導体連結用部を上記第５の絶縁柱体の一方の端面側において外部に臨ませ且つ上記第２の内部導体連結用部の他方の端部を上記第５の絶縁柱体の他方の端面から第１２のポートとして外方に延長させている状態で、上記第５の絶縁柱体の軸上に延長して固定配置されている第２の内部導体内装絶縁柱体とを有し、
（Ｇ）上記第１の遮蔽用導体板が、上記導電性ブロックの底板部上に固定して配されている状態でみて、（ａ）上記底板部の第１の遮蔽型二対結合線路挿通孔にともに連通するように、左端面及び右端面からそれぞれ付されている、上記遮蔽型二対結合線路の第１及び第３のポートまたは第２及び第４のポートをそれぞれ位置させるための第１及び第２の切欠と、（ｂ）上記底板部の第１の遮蔽型二対結合線路挿通孔にともに連通するように、上面及び底面間に延長して穿設されている、上記遮蔽型二対結合線路の第５及び第７のポートまたは第８及び第６のポートをそれぞれ挿入させるための第１及び第２のポート挿入用貫通孔とを有し、
（Ｈ）（ａ）上記第１の内部導体内装絶縁柱体が、上記導電性ブロックの第１の内部導体内装絶縁柱体配置用導体部の第１の内部導体内装絶縁柱体配置孔内に、上記第１の内部導体内装絶縁柱体の第７の内部導体の第１１のポート側の端部を上記導電性ブロックの左板部の上記第１の内部導体内装絶縁柱体端部挿通孔内に配置し且つ上記第１の内部導体内装絶縁柱体の第７の内部導体の第１１のポートの遊端部を、上記導電性ブロックの底板部上に上記第１の遮蔽用導体板が固定配置されている状態でみて、その第１の遮蔽用導体板の第１の切欠内に位置させている状態で、固定配置され、（ｂ）それによって、上記導電性ブロックの第１の内部導体内装絶縁柱体配置用導体部を外部導体、上記第１の内部導体内装絶縁柱体の第７の内部導体を内部導体とする第１の同軸ケーブルコネクタが、上記導電性ブロックと、その左板部の左側において、一体に構成され、
（Ｉ）（ａ）上記第２の内部導体内装絶縁柱体が、上記導電性ブロックの第２の内部導体内装絶縁柱体配置用導体部の第２の内部導体内装絶縁柱体配置孔内に、上記第２の内部導体内装絶縁柱体の第１２のポート側の端部を上記導電性ブロックの右板部の上記第２の内部導体内装絶縁柱体端部挿通孔内に配置し且つ上記第２の内部導体内装絶縁柱体の第８の内部導体の第１２のポートの遊端部を、上記導電性ブロックの底板部上に上記第１の遮蔽用導体板が固定配置されている状態でみて、その第１の遮蔽用導体板の第２の切欠内に位置させている状態で、固定配置され、（ｂ）それによって、上記導電性ブロックの第２の内部導体内装絶縁柱体配置用導体部を外部導体、上記第２の内部導体内装絶縁柱体の第８の内部導体を内部導体とする第２の同軸ケーブルコネクタが、上記導電性ブロックと、その上記右板部の右側において、一体に構成され、
（Ｊ）（ａ）上記遮蔽型二対結合線路の第１、第３、第５及び第７のポート側の端部が、上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に下方から挿通され得、それによって、上記導電性ブロックの底板部上に上記第１の遮蔽用導体板が固定配置されている状態でみて、上記遮蔽型二対結合線路の第１及び第３のポートが上記第１の遮蔽用導体板の第１及び第２の切欠内にそれぞれ位置され且つ上記遮蔽型二対結合線路の第５及び第７のポートが上記第１の遮蔽用導体板の第１及び第２のポート挿通用貫通孔内にそれぞれ挿入されている状態で、（ｉ）上記遮蔽型二対結合線路の第１の外部導体が、上記導電性ブロックの遮蔽型二対結合線路端部挿通用導体部に連結されまたは連結され得、それによって、上記遮蔽型二対結合線路が上記導電性ブロックに固定されまたは固定され得るようになされているとともに、（ｉｉ）上記遮蔽型二対結合線路の第１及び第３のポートの遊端が上記第１の同軸ケーブルコネクタの内部導体としての上記第７の内部導体の第１１のポート及び上記第２の同軸ケーブルコネクタの内部導体としての第１２の内部導体の第１２のポートに連結されまたは連結され得るようになされ、且つ上記遮蔽型二対結合線路の第５及び第７のポートが上記第１の遮蔽用導体板にその第１及び第２のポート挿通用貫通孔の位置においてそれぞれ連結されまたは連結され得、それによって、上記遮蔽型二対結合線路の第５及び第７のポートが上記第１の遮蔽用導体板を介して上記遮蔽型二対結合線路の第１の外部導体に連結されまたは連結され得るようになされ、または、（ｂ）上記遮蔽型二対結合線路の第２、第４、第６及び第８のポート側の端部が、上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に下方から挿通され得、それによって、上記導電性ブロックの底板部上に上記第１の遮蔽用導体板が固定配置されている状態でみて、上記遮蔽型二対結合線路の第２及び第４のポートが上記第１の遮蔽用導体板の第１及び第２の切欠内にそれぞれ位置され且つ上記遮蔽型二対結合線路の第６及び第８のポートが上記第１の遮蔽用導体板の第２及び第１のポート挿通用貫通孔にそれぞれ挿入されている状態で、（ｉ）上記遮蔽型二対結合線路の第１の外部導体が、上記導電性ブロックの遮蔽型二対結合線路端部挿通用導体部に連結されまたは連結され得、それによって、上記遮蔽型二対結合線路が上記導電性ブロックに固定されまたは固定され得るようになされているとともに、（ｉｉ）上記遮蔽型二対結合線路の第２及び第４のポートの遊端が上記第１の同軸ケーブルコネクタの内部導体としての上記第７の内部導体の第１１のポート及び上記第２の同軸ケーブルコネクタの内部導体としての第８の内部導体の第１２のポートに連結されまたは連結され得るようになされ、且つ上記遮蔽型二対結合線路の第６及び第８のポートが上記第１の遮蔽用導体板にその第２及び第１のポート挿通用貫通孔の位置においてそれぞれ連結されまたは連結され得、それによって、上記遮蔽型二対結合線路の第６及び第８のポートが上記第１の遮蔽用導体板を介して上記遮蔽型二対結合線路の第１の外部導体に連結されまたは連結され得るようになされ、
（Ｋ）上記導電性ブロックと一体に上記第１及び第２の同軸ケーブルコネクタが構成され、上記導電性ブロックの底板部上に第１の遮蔽用導体板が固定され、上記遮蔽型二対結合線路が上記導電性ブロックに固定され、上記第１の同軸ケーブルコネクタの内部導体としての上記第１の内部導体内装絶縁柱体の第７の内部導体の第１１のポート及び上記第２の同軸ケーブルコネクタの内部導体としての第２の内部導体内装絶縁柱体の第８の内部導体の第１２のポートの遊端が、上記導電性ブロックに固定されている上記遮蔽型二対結合線路の第１及び第３のポート、または第２及び第４のポートにそれぞれ連結されている状態で、上記第２の遮蔽用導体板が上記第１の遮蔽用導体板上に、それと連結して、固定配置され得るようになされ、
（Ｌ）上記第１の同軸ケーブルコネクタの内部導体としての上記第１の内部導体内装絶縁柱体の第７の内部導体の第１１のポートに連結される第９の内部導体と、上記第１の同軸ケーブルコネクタの外部導体としての上記導電性ブロックの第１の内部導体内装絶縁柱体配置用導体部に連結される第４の外部導体とを有して、上記第１の同軸ケーブルコネクタに連結し得る第３の同軸ケーブルコネクタが、その第４の外部導体及び第９の内部導体に上記第１の同軸ケーブルの第２の外部導体及び第９のポートをそれぞれ連結している状態で、上記第１の同軸ケーブルコネクタに連結されることによって、（ｉ）上記第１の同軸ケーブルの第２の外部導体が、上記第３の同軸ケーブルコネクタの第４の外部導体、及び上記第１の同軸ケーブルコネクタの外部導体としての上記導電性ブロックの第１の内部導体内装絶縁柱体配置用導体部を介して、上記導電性ブロックに固定されている上記遮蔽型二対結合線路の第１の外部導体に連結され得るようになされるているとともに、（ｉｉ）上記第１の同軸ケーブルの第９のポートが、上記第３の同軸ケーブルコネクタの第９の内部導体、及び上記第１の同軸ケーブルコネクタの内部導体としての上記第１の内部導体内装絶縁柱体の第７の内部導体を介して、上記導電性ブロックに固定されている遮蔽型二対結合線路の第１のポートまたは第２のポートに連結され得るようになされ、
（Ｍ）上記第２の同軸ケーブルコネクタの内部導体としての上記第２の内部導体内装絶縁柱体の第８の内部導体の第１２のポートに連結される第１０の内部導体と、上記第２の同軸ケーブルコネクタの外部導体としての上記導電性ブロックの第１の内部導体内装絶縁柱体配置用導体部に連結される第５の外部導体とを有して、上記第２の同軸ケーブルコネクタに連結し得る第４の同軸ケーブルコネクタが、その第５の外部導体及び第１０の内部導体に上記第２の同軸ケーブルの第３の外部導体及び第１０のポートをそれぞれ連結している状態で、上記第２の同軸ケーブルコネクタに連結されることによって、（ｉ）上記第２の同軸ケーブルの第３の外部導体が、上記第４の同軸ケーブルコネクタの第５の外部導体、及び上記第２の同軸ケーブルコネクタの外部導体としての上記導電性ブロックの第１の内部導体内装絶縁柱体配置用導体部を介して、上記導電性ブロックに固定されている上記遮蔽型二対結合線路の第１の外部導体に連結され得るようになされるているとともに、（ｉｉ）上記第２の同軸ケーブルの第１０のポートが、上記第４の同軸ケーブルコネクタの第１０の内部導体、及び上記第２の同軸ケーブルコネクタの内部導体としての上記第２の内部導体内装絶縁柱体の第８の内部導体を介して、上記導電性ブロックに固定されている遮蔽型二対結合線路の第３のポートまたは第４のポートに連結され得るようになされていることを特徴とする遮蔽型二対結合線路コネクタ。
【請求項２】
（Ａ）（ａ）（ｉ）第１及び第２の端面を有する第１の絶縁柱体内に、▲１▼対の第１及び第２の内部導体が、それらの一方の遊端を上記第１の端面から第１及び第３のポートとしてそれぞれ外方に延長させ、他方の遊端を上記第２の端面から第２及び第４のポートとしてそれぞれ外方に延長させている状態で、上記第１の絶縁柱体の軸線を含む第１の面上において上記第１の絶縁柱体の軸線からみて互いに対称に且つ上記第１の絶縁柱体の軸線と平行な関係を保って延長配列され、且つ、▲２▼対の第３及び第４の内部導体が、それらの一方の遊端を上記第１の端面から第５及び第７のポートとしてそれぞれ外方に延長させ、他方の遊端を上記第２の端面から第６及び第８のポートとしてそれぞれ外方に延長させている状態で、上記第１の絶縁柱体の軸線を含む上記第１の面と直交する第２の面上において上記第１の絶縁柱体の軸線からみて互いに対称に且つ上記第１の絶縁柱体の軸線と平行な関係を保って延長配列されているとともに、（ｉｉ）上記第１の絶縁柱体の周りにその全長に亘って第１の外部導体が配されている遮蔽型二対結合線路を、（ｂ）（ｉ）第２の絶縁柱体内に第５の内部導体が、その一方の遊端を上記第２の絶縁柱体の一方の端面から第９のポートとして外方に延長させている状態で、上記第２の絶縁柱体の軸線上に延長して配列されているとともに、上記第２の絶縁柱体の周りに第２の外部導体が配されている第１の同軸ケーブルと、（ｉｉ）第３の絶縁柱体内に第６の内部導体が、その一方の遊端を上記第３の絶縁柱体の一方の端面から第１０のポートとして外方に延長させている状態で、上記第３の絶縁柱体の軸線上に延長して配列されているとともに、上記第３の絶縁柱体の周りに第３の外部導体が配されている第２の同軸ケーブルとに連結するための遮蔽型二対結合線路コネクタであって、
（Ｂ）（ａ）上記遮蔽型二対結合線路の上記第１の端面側の端部が挿通される第１の遮蔽型二対結合線路端部挿通孔を有する底板部と、（ｂ）その底板部の左端部及び右端部からそれらとそれぞれ一体に互いに対向して上方にそれぞれ延長し且つ上記第１の同軸ケーブルの第９のポート側の端部及び第２の同軸ケーブルの第１０のポート側の端部がそれぞれ挿通される第１及び第２の同軸ケーブル端部挿通孔をそれぞれ有する左板部及び右板部と、（ｃ）（ｉ）上記左板部及び上記右板部からそれらとそれぞれ一体に左方及び右方にそれぞれ延長し、且つ（ｉｉ）上記左板部の第１の同軸ケーブル端部挿通孔及び上記右板部の第２の同軸ケーブル端部挿通孔にそれぞれ同心的に連通している、上記第１の同軸ケーブルの第９のポート側の端部及び上記第２の同軸ケーブルの第１０のポート側の端部をそれぞれ左方及び右方から挿通させるための第３及び第４の同軸ケーブル端部挿通孔をそれぞれ有する第１及び第２の同軸ケーブル端部挿通用導体部と、（ｄ）（ｉ）上記底板部からそれと一体にまたはそれと連結して下方に延長し、且つ（ｉｉ）上記底板部の第１の遮蔽型二対結合線路端部挿通孔に同心的に連通している、上記遮蔽型二対結合線路の端部を下方から挿通させるための第２の遮蔽型二対結合線路端部挿通孔を有する遮蔽型二対結合線路端部挿通用導体部とを有する導電性ブロックと、
（Ｃ）上記導電性ブロックの底板部上に、上記導電性ブロックの左板部及び右板部間に上記底板部の第１の遮蔽型二対結合線路端部挿通孔を覆って延長している状態に、上記底板部と連結して固定配置されるまたは固定配置されている第１の遮蔽用導体板と、
（Ｄ）上記導電性ブロックの底板部上に上記第１の遮蔽用導体板が固定配置されている状態で、その第１の遮蔽用導体板上に、上記導電性ブロックの左板部及び右板部間に延長している状態に上記第１の遮蔽用導体板と連結して固定配置されるまたは固定配置されている第２の遮蔽用導体板とを有し、
（Ｅ）第１の遮蔽用導体板が、上記導電性ブロックの底板部上に固定配置されている状態でみて、（ａ）上記底板部の第１の遮蔽型二対結合線路挿通孔にともに連通するように、左端面及び右端面からそれぞれ付されている、上記遮蔽型二対結合線路の第１及び第３のポートまたは第２及び第４のポートをそれぞれ位置させるための第１及び第２の切欠と、（ｂ）上記底板部の第１の遮蔽型二対結合線路挿通孔にそれぞれ連通するように、上面及び底面間に延長して穿設されている、上記遮蔽型二対結合線路の第５及び第７のポートまたは第８及び第６のポートをそれぞれ挿入させるための第１及び第２のポート挿入用貫通孔とを有し、
（Ｆ）（ａ）上記遮蔽型二対結合線路の第１、第３、第５及び第７のポート側の端部が、上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に下方から挿通され得、それによって、上記導電性ブロックの底板部上に上記第１の遮蔽用導体板が固定配置されている状態でみて、上記遮蔽型二対結合線路の第１及び第３のポートが上記第１の遮蔽用導体板の第１及び第２の切欠内にそれぞれ位置され且つ上記遮蔽型二対結合線路の第５及び第７のポートが上記第１の遮蔽用導体板の第１及び第２のポート挿通用貫通孔にそれぞれ挿入されている状態で、（ｉ）上記遮蔽型二対結合線路の第１の外部導体が、上記導電性ブロックの遮蔽型二対結合線路端部挿通用導体部に連結されまたは連結され得、それによって、上記遮蔽型二対結合線路が上記導電性ブロックに固定されまたは固定され得るようになされているとともに、（ｉｉ）上記遮蔽型二対結合線路の第５及び第７のポートの遊端が上記第１の遮蔽用導体板にその第１及び第２のポート挿通用貫通孔の位置においてそれぞれ連結されまたは連結され得、それによって、上記遮蔽型二対結合線路の第５及び第７のポートが上記第１の遮蔽用導体板を介して上記遮蔽型二対結合線路の第１の外部導体に連結されまたは連結され得るようになされ、または、（ｂ）　上記遮蔽型二対結合線路の第２、第４、第６及び第８のポート側の端部が、上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に下方から挿通され得、それによって、上記導電性ブロックの底板部上に上記第１の遮蔽用導体板が固定配置されている状態でみて、上記遮蔽型二対結合線路の第２及び第４のポートが上記第１の遮蔽用導体板の第１及び第２の切欠内にそれぞれ位置され且つ上記遮蔽型二対結合線路の第６及び第８のポートが上記第１の遮蔽用導体板の第２及び第１のポート挿通用貫通孔にそれぞれ挿入されている状態で、（ｉ）上記遮蔽型二対結合線路の第１の外部導体が、上記導電性ブロックの遮蔽型二対結合線路端部挿通用導体部に連結されまたは連結され得、それによって、上記遮蔽型二対結合線路が上記導電性ブロックに固定されまたは固定され得るようになされているとともに、（ｉｉ）上記遮蔽型二対結合線路の第６及び第８のポートの遊端が上記第１の遮蔽用導体板にその第２及び第１のポート挿通用貫通孔の位置においてそれぞれ連結されまたは連結され得、それによって、上記遮蔽型二対結合線路の第６及び第８のポートが上記第１の遮蔽用導体板を介して上記遮蔽型二対結合線路の第１の外部導体に連結されまたは連結され得るようになされ、
（Ｇ）上記第１の同軸ケーブルの第９のポート側の端部が、上記導電性ブロックの第１の同軸ケーブル端部挿通用導体部の左方から、上記導電性ブロックの第１の同軸ケーブル端部挿通用導体部の第３の同軸ケーブル端部挿入孔及び上記導電性ブロックの左板部の第１の同軸ケーブル端部挿通孔内に挿通され得、それによって、（ａ）上記遮蔽型二対結合線路が、その第１、第３、第５及び第７のポート側の端部を上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に挿通して、上記導電性ブロックに固定されている場合、上記第１の同軸ケーブルの第９のポートの遊端が上記遮蔽型二対結合線路の第１のポートに近接対向乃至対接し、その状態で、（ｉ）上記第１の同軸ケーブルの第２の外部導体が上記導電性ブロックの第１の同軸ケーブル端部挿通用導体部に連結され得、それによって、上記第１の同軸ケーブルが上記導電性ブロックに固定され得るようになされているとともに、（ｉｉ）上記第１の同軸ケーブルの第９のポートの遊端が上記遮蔽型二対結合線路の第１のポートに連結され得るようになされ、（ｂ）上記遮蔽型二対結合線路が、その第２、第４、第６及び第８のポート側の端部を上記導電性ブロックの導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に挿通して、上記導電性ブロックに固定されている場合、上記第１の同軸ケーブルの第９のポートの遊端が上記遮蔽型二対結合線路の第２のポートに近接対向乃至対接し、その状態で、（ｉ）上記第１の同軸ケーブルの第２の外部導体が上記導電性ブロックの第１の同軸ケーブル端部挿通用導体部に連結され得、それによって、上記第１の同軸ケーブルが上記導電性ブロックに固定され得るようになされているとともに、（ｉｉ）上記第１の同軸ケーブルの第９のポートの遊端が上記遮蔽型二対結合線路の第２のポートに連結され得るようになされ、
（Ｈ）上記第２の同軸ケーブルの第１０のポート側の端部が、上記導電性ブロックの第２の同軸ケーブル端部挿通用導体部の右方から、上記導電性ブロックの第２の同軸ケーブル端部挿通用導体部の第４の同軸ケーブル端部挿入孔及び上記導電性ブロックの右板部の第２の同軸ケーブル端部挿通孔内に挿通され得、それによって、（ａ）上記遮蔽型二対結合線路が、その第１、第３、第５及び第７のポート側の端部を上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に挿通して、上記導電性ブロックに固定されている場合、上記第２の同軸ケーブルの第１０のポートの遊端が上記遮蔽型二対結合線路の第３のポートに近接対向乃至対接し、その状態で、（ｉ）上記第２の同軸ケーブルの第３の外部導体が上記導電性ブロックの第２の同軸ケーブル端部挿通用導体部に連結され得、それによって、上記第２の同軸ケーブルが上記導電性ブロックに固定され得るようになされているとともに、（ｉｉ）上記第２の同軸ケーブルの第１０のポートの遊端が上記遮蔽型二対結合線路の第３のポートに連結され得るようになされ、（ｂ）上記遮蔽型二対結合線路が、その第２、第４、第６及び第８のポート側の端部を上記導電性ブロックの導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に挿通して、上記導電性ブロックに固定されている場合、上記第２の同軸ケーブルの第１０のポートの遊端が上記遮蔽型二対結合線路の第４のポートに近接対向乃至対接し、その状態で、（ｉ）上記第２の同軸ケーブルの第３の外部導体が上記導電性ブロックの第２の同軸ケーブル端部挿通用導体部に連結され得、それによって、上記第２の同軸ケーブルが上記導電性ブロックに固定され得るようになされているとともに、（ｉｉ）上記第２の同軸ケーブルの第１０のポートの遊端が上記遮蔽型二対結合線路の第４のポートに連結され得るようになされ、
（Ｉ）上記第１の同軸ケーブルの第９のポート及び上記第２の同軸ケーブルの第１０のポートの遊端が上記導電性ブロックに固定されている上記遮蔽型二対結合線路の第１及び第３のポート、または第２及び第４のポートにそれぞれ連結されている状態で、上記第２の遮蔽用導体板が上記第１の遮蔽用導体板上にそれと連結して固定配置され得るようになされていることを特徴とする遮蔽型二対結合線路コネクタ。
【発明の詳細な説明】
【０００１】
【発明の属する技術分野】
本発明は、（ａ）（ｉ）第１及び第２の端面を有する第１の絶縁柱体内に、▲１▼対の第１及び第２の内部導体が、それらの一方の遊端を第１の端面から第１及び第３のポートとしてそれぞれ外方に延長させ、他方の遊端を第２の端面から第２及び第４のポートとしてそれぞれ外方に延長させている状態で、第１の絶縁柱体の軸線を含む第１の面上において第１の絶縁柱体の軸線からみて互いに対称に且つ第１の絶縁柱体の軸線と平行な関係を保って延長配列され、且つ、▲２▼　対の第３及び第４の内部導体が、それらの一方の遊端を第１の端面から第５及び第７のポートとしてそれぞれ外方に延長させ、他方の遊端を第２の端面から第６及び第８のポートとしてそれぞれ外方に延長させている状態で、第１の絶縁柱体の軸線を含む第１の面と直交する第２の面上において第１の絶縁柱体の軸線からみて互いに対称に且つ第１の絶縁柱体の軸線と平行な関係を保って延長配列されているとともに、（ｉｉ）第１の絶縁柱体の周りにその全長に亘って第１の外部導体が配されている遮蔽型二対結合線路を、（ｂ）（ｉ）第２の絶縁柱体内に第５の内部導体が、その一方の遊端を第２の絶縁柱体の一方の端面から第９のポートとして外方に延長させている状態で、第２の絶縁柱体の軸線上に延長して配列されているとともに、第２の絶縁柱体の周りにその全長に亘って第２の外部導体が配されている第１の同軸ケーブルと、（ｉｉ）第３の絶縁柱体内に第６の内部導体が、その一方の遊端を第３の絶縁柱体の一方の端面から第１０のポートとして外方に延長させている状態で、第３の絶縁柱体の軸線上に延長して配列されているとともに、第３の絶縁柱体の周りにその全長に亘って第３の外部導体が配されている第２の同軸ケーブルとに連結するための遮蔽型二対結合線路コネクタに関する。
【０００２】
【従来の技術】
従来、図２に示すような、（ｉ）第１及び第２の端面１ａ及び１ｂを有する断面円形の第１の絶縁柱体１内に、▲１▼断面円形の対の第１及び第２の内部導体Ｌ１及びＬ２が、それらの一方の遊端を第１の端面１ａから第１及び第３のポートＮ１及びＮ３としてそれぞれ外方に延長させ、他方の遊端を第２の端面１ｂから第２及び第４のポートＮ２及びＮ４としてそれぞれ外方に延長させている状態で、第１の絶縁柱体１の軸線Ｏ−Ｏを含む第１の面Ｑ１２上において、第１の絶縁柱体１の軸線Ｏ−Ｏからみて互に対称に且つ第１の絶縁柱体１の軸線Ｏ−Ｏと平行な関係を保って延長配列され、且つ▲２▼断面円形の対の第３及び第４の内部導体Ｌ３及びＬ４が、それらの一方の端面を第１の端面１ａから第５及び第７のポートＮ５及びＮ７としてそれぞれ外方に延長させ、他方の遊端を第２の端面１ｂから第６及び第８のポートＮ６及びＮ８としてそれぞれ外方に延長させている状態で、第１の絶縁柱体１の軸線Ｏ−Ｏを含む面Ｑ１２と直交する第２の面Ｑ３４上において、第１の絶縁柱体１の軸線Ｏ−Ｏからみて互に対称に且つ第１の絶縁柱体１の軸線Ｏ−Ｏと平行な関係を保って延長配列されているとともに、（ｉｉ）第１の絶縁柱体１の周りにその全長に亘って断面円環形の第１の外部導体２がその両端面を絶縁柱体１の第１及び第２の端面１ａ及び１ｂの延長面上にそれぞれ臨ませて配されている、という構成を有する遮蔽型二対結合線路ＣＬが提案されている。
【０００３】
この場合、第１のポートＮ１及び第１の外部導体２間に第１の高周波信号Ｓ１を供給するものとし、その高周波信号Ｓ１の波長を一般にλとし、また、ｎを一般に１、５、９………とするとき、第１の絶縁柱体１、第１〜第４の内部導体Ｌ１〜Ｌ４の第１の絶縁柱体１内に延長している長さ、及び第１の外部導体２の長さが、ほぼ（ｎ・λ／４）の長さを有する。
【０００４】
このような遮蔽型二対結合線路ＣＬによれば、第４のポートＮ４及び第２の外部導体２間に、それら間から第１のポートＮ１側を見た波長λの高周波信号に対する特性インピーダンスと等しいインピーダンスを有する抵抗Ｒ４を接続している状態で、第１のポートＮ１及び第１の外部導体２間に、波長λの第１の高周波信号Ｓ１を供給すれば、第２のポートＮ２及び第１の外部導体２間に、波長λの第２の高周波信号Ｓ２が、第１の高周波信号Ｓ１に対してほぼ９０°の位相差を有して得られ、第３のポートＮ３及び第１の外部導体２間に、波長λの第３の高周波信号Ｓ３が、高周波信号Ｓ１とほぼ同相で得られ、第４のポートＮ４及び第１の外部導体２間に、波長λの第４の高周波信号Ｓ４が実質的に得られない、という遮蔽型二対結合線路としての機能を得ることができる。
【０００５】
そして、この場合、第１及び第２の内部導体Ｌ１及びＬ２間の中心間間隔ｄ１２が小さければ小さい程、第１及び第２の内部導体Ｌ１及びＬ２間の高周波結合度Ｃ１２を大きく得ることができ、このため、第２のポートＮ２及び第２の外部導体２間に得られる第２の高周波信号Ｓ２の電力Ｐ２を、第１のポートＮ１及び第１の外部導体２間に供給される第１の高周波信号Ｓ１の電力Ｐ１との比Ｐ２／Ｐ１でみて、小さく得ることができ、且つ第３のポートＮ３及び第１の外部導体２間に得られる第３の高周波信号Ｓ３の電力Ｐ３を、第１の高周波信号Ｓ１の電力Ｐ１との比Ｐ３／Ｐ１でみて、大きく得ることができ、従って、第２及び第３の高周波信号Ｓ２及びＳ３の電力比Ｇ２３（＝Ｐ２／Ｐ３）を小さく得ることができる。
【０００６】
また、第１及び第２の内部導体Ｌ１及びＬ２間の中心間間隔ｄ１２が大きければ大きい程、第１及び第２の内部導体Ｌ１及びＬ２間の高周波結合度Ｃ１２を小さく得ることができ、このため、第２の高周波信号Ｓ２の電力Ｐ２を、第１の高周波信号Ｓ１の電力Ｐ１との比Ｐ２／Ｐ１でみて、大きく得ることができ、且つ高周波信号Ｓ３の電力Ｐ３を、第１の高周波信号Ｓ１の電力Ｐ１との比Ｐ３／Ｐ１でみて、小さく得ることができ、従って、第２及び第３の高周波信号Ｓ２及びＳ３の電力比Ｇ２３（＝Ｐ２／Ｐ３）を大きく得ることができる。
【０００７】
さらに、上述したように、第１及び第２の内部導体Ｌ１及びＬ２間の中心間間隔ｄ１２が小さければ小さい程、第１及び第２の内部導体Ｌ１及びＬ２間の高周波結合度Ｃ１２を大きく得ることができ、また、第１及び第２の内部導体Ｌ１及びＬ２間の中心間隔ｄ１２が大きければ大きい程、第１及び第２の内部導体Ｌ１及びＬ２間の高周波結合度Ｃ１２を小さく得ることができるが、この場合、第１及び第２の内部導体Ｌ１及びＬ２間の中心間間隔ｄ１２のとり得る最小値ｄ１２ｍｉｎ　は、第１及び第２の内部導体Ｌ１及びＬ２の直径φＬ１及びφＬ２を互に等しいφＬ　とするとき、φＬ　よりも大きいが、製造上から制限されて決められるφＬ　に近い値ｄａ　であり、また、第１及び第２の内部導体Ｌ１及びＬ２間の中心間間隔ｄ１２のとり得る最大値ｄ１２ｍａｘ　は、（φ１　−φＬ　）よりも小さいが、製造上から制限されて決められる（φ１　−φＬ　）に近い値ｄｂ　である。
【０００８】
ところで、図２に示す上述した遮蔽型二対結合線路ＣＬの場合、第１の絶縁柱体１内に、第３及び第４の内部導体Ｌ３及びＬ４が、第１及び第２の内部導体Ｌ１及びＬ２が配列延長している第１の絶縁柱体１の軸線Ｏ−Ｏを含む面Ｑ１２と直交する第１の絶縁柱体１の軸線Ｏ−Ｏを通る第２の面Ｑ３４上において、第１の絶縁柱体１の軸線Ｏ−Ｏからみて互に対称な関係を保って延長配列されているため、上述したように、第４のポートＮ４及び第１の外部導体２間に抵抗Ｒ４が接続されている状態で、第１のポートＮ１及び第１の外部導体２間に第１の高周波信号Ｓ１を供給することによって、第２のポートＮ２及び第１の外部導体２間から第１の高周波信号Ｓ１に対して９０°の位相差を有する第２の高周波信号Ｓ２を得、第３のポートＮ３及び第１の外部導体２間から第１の高周波信号Ｓ１と同相の第３の高周波信号Ｓ３を得るようにした使用時、第５及び第７のポートＮ５及びＮ７を、第１の外部導体２の第５及び第７のポートＮ５及びＮ７側端に接続し、また第６及び第８のポートＮ６及びＮ８を第１の外部導体２の第６及び第８のポートＮ６及びＮ８側端に接続しておけば、第１の内部導体Ｌ１から第２の内部導体Ｌ２に到る電気力線が、第１及び第２の内部導体Ｌ１及びＬ２間の中心間間隔ｄ１２が上述した最小値ｄ１２ｍｉｎ　である場合は、第３及び第４の内部導体Ｌ３及びＬ４を有していない場合とほぼ同様に得られるが、第１及び第２の内部導体Ｌ１及びＬ２間の中心間間隔ｄ１２が上述した最大値ｄ１２ｍａｘ　である場合は、第３及び第４の内部導体Ｌ３及びＬ４を有していない場合に比し、格段的に少なく得られることから、第１及び第２の内部導体Ｌ１及びＬ２間の中心間間隔ｄ１２が小さければ小さい程、第１及び第２の内部導体Ｌ１及びＬ２間の高周波結合度Ｃ１２を大きく得ることができるとする、その高周波結合度Ｃ１２を大きく得ることができる最大値Ｃ１２ｍａｘ　を、第１及び第２の内部導体Ｌ１及びＬ２間の中心間間隔ｄ１２の製造上から制限されて決められる最小値ｄ１２ｍｉｎ　とほぼ同じ値によって制限された値で得られるとしても、第１及び第２の内部導体Ｌ１及びＬ２間の中心間間隔ｄ１２が大きければ大きい程、第１及び第２の内部導体Ｌ１及びＬ２間の高周波結合度Ｃ１２を小さく得ることができるとする、その高周波結合度Ｃ１２を小さく得ることができる最小値Ｃ１２ｍｉｎ　を、第１及び第２の内部導体Ｌ１及びＬ２間の中心間間隔ｄ１２の製造上から制限されて決められる最大値ｄ１２ｍａｘ　によって制限されず、最大値ｄ１２ｍａｘ　によって制限される値に比し格段的に大きな値で得ることができる。
【０００９】
以上のことから、図Ｘ１に示す遮蔽型二対結合線路ＣＬによれば、第１及び第２の内部導体Ｌ１及びＬ２間の高周波結合度Ｃ１２のとり得る範囲を、格段的に大きくとらせることができ、よって、上述したようにして、第４のポートＮ４及び第１の外部導体２間に抵抗Ｒ４が接続され、第３及び第４の内部導体Ｌ３及びＬ４が第１の外部導体２に接続されている状態で、第１のポートＮ１及び第１の外部導体２間に第１の高周波信号Ｓ１を供給することによって、第２のポートＮ２及び第１の外部導体２間から第１の高周波信号Ｓ１に対して９０°の位相差を有する第２の高周波信号Ｓ２を得、第３のポートＮ３及び第１の外部導体２間から第１の高周波信号Ｓ１と同様の第３の高周波信号Ｓ３を得るようにした使用時における、第２のポートＮ２及び第１の外部導体２間で得られる高周波信号Ｓ２の電力Ｐ２と第３のポートＮ３及び第１の外部導体２間で得られる高周波信号Ｓ３の電力Ｐ３との電力比Ｇ２３（Ｐ２／Ｐ３）のとり得る範囲を格段的に大きくとらせることができる。
【００１０】
【発明が解決しようとする課題】
上述した遮蔽型二対結合線路ＣＬについては、それを用い、（ａ）その第１のポートＮ１及び第１の外部導体２間に上述したように第１の高周波信号Ｓ１を供給するにつき、その供給を、図３または図４に示すような、第２の絶縁柱体３内に第５の内部導体Ｌ５がその一方の遊端を第２の絶縁柱体３の一方の端面から第９のポートＮ９として外方に延長させている状態で第２の絶縁柱体３の軸線上に延長して配列されているとともに、第２の絶縁柱体３の周りにその遊端部の一部を図４に示すように除いて、または図３に示すように除くことなしに、その全長に亘って第２の外部導体４が配されている、という構成のそれ自体は公知の第１の同軸ケーブルＣＡ１を用い、その第１の同軸ケーブルＣＡ１の第９のポートＮ９及び第２の外部導体４を予め遮蔽型二対結合線路ＣＬの第１のポートＮ１及び第１の外部導体２にそれぞれ連結しておくことで、第１の同軸ケーブルＣＡ１を介し供給することができることは明らかであるが、そのように、遮蔽型二対結合線路ＣＬの第１のポートＮ１及び第１の外部導体２間に第１の高周波信号Ｓ１を第１の同軸ケーブルＣＡ１を介して供給することが所望とされる場合があり、且つ（ｂ）遮蔽型二対結合線路ＣＬの第３のポートＮ３及び第１の外部導体２間に得られる第３の高周波信号Ｓ３を得るにつき、同じく図３または図４に示すような、第３の絶縁柱体５内に第６の内部導体Ｌ６がその一方の遊端を第３の絶縁柱体５の一方の端面から第１０のポートＮ１０として外方に延長させている状態で第３の絶縁柱体５の軸線上に延長して配列されているとともに、第３の絶縁柱体５の周りにその遊端部の一部を図４に示すように除いて、または図３に示すように除くことなしに、その全長に亘って第３の外部導体６が配されている、という構成のそれ自体は公知の第２の同軸ケーブルＣＡ２を用い、その第２の同軸ケーブルＣＡ２の第１０のポートＮ１０及び第３の外部導体６を予め遮蔽型二対結合線路ＣＬの第３のポートＮ３及び第１の外部導体２にそれぞれ連結しておくことで、第２の同軸ケーブルＣＡ２を介して得ることができることは明らかであるが、そのように、遮蔽型二対結合線路ＣＬの第３のポートＮ３及び第１の外部導体２間に得られる第３の高周波信号Ｓ３を第２の同軸ケーブルＣＡ２を介して得ることが所望とされる場合がある。
【００１１】
また、上述した遮蔽型二対結合線路ＣＬを用い、（ａ）その遮蔽型二対結合線路ＣＬの第２のポートＮ２及び第１の外部導体２間に得られる第２の高周波信号Ｓ２を得るにつき、図３または図４を伴って上述した第１の同軸ケーブルＣＡ１を用い、その第１の同軸ケーブルＣＡ１の第９のポートＮ９及び第２の外部導体４を予め遮蔽型二対結合線路ＣＬの第２のポートＮ２及び第１の外部導体２にそれぞれ連結しておくことで、第１の同軸ケーブルＣＡ１を介して得ることができることは明らかであるが、そのように遮蔽型二対結合線路ＣＬの第２のポートＮ２及び第１の外部導体２間に得られる第２の高周波信号Ｓ２を第１の同軸ケーブルＣＡ１を介して得ることが所望とされる場合があり、且つ（ｂ）抵抗Ｒ４を遮蔽型二対結合線路ＣＬの第４のポートＮ４及び第１の外部導体２間に接続するにつき、上述した第２の同軸ケーブルＣＡ２を用い、その第２の同軸ケーブルＣＡ２の第１０のポートＮ１０及び第３の外部導体６を予め遮蔽型二対結合線路ＣＬの第４のポートＮ４及び第１の外部導体２にそれぞれ連結しておくことで、第２の同軸ケーブルＣＡ２を介して接続することができることは明らかであるが、そのように、抵抗Ｒ４を遮蔽型二対結合線路ＣＬの第４のポートＮ４及び第１の外部導体２間に第２の同軸ケーブルＣＡ２を介して接続することが所望とされる場合もある。
【００１２】
よって、本発明は、（Ａ）上述した所望事項、すなわち、（ａ）（ｉ）遮蔽型二対結合線路ＣＬの第１のポートＮ１及び第１の外部導体２間に第１の高周波信号Ｓ１を第１の同軸ケーブルＣＡ１を介して供給し、且つ（ｉｉ）遮蔽型二対結合線路ＣＬの第３のポートＮ３及び第１の外部導体２間に得られる第３の高周波信号Ｓ３を第２の同軸ケーブルＣＡ２を介して得ること、及び（ｂ）（ｉ）遮蔽型二対結合線路ＣＬの第２のポートＮ２及び第１の外部導体２間に得られる第２の高周波信号Ｓ２を第１の同軸ケーブルＣＡ１を介して得、且つ（ｉｉ）抵抗Ｒ４を遮蔽型二対結合線路ＣＬの第４のポートＮ４及び第１の外部導体２間に第２の同軸ケーブルＣＡ２を介して接続することを、容易に満足させ、そして、第２及び第３の高周波信号Ｓ２及びＳ３の電力比Ｇ２３が予定の値から変化しないか予定の値から変化するとしても予定の許容値の範囲内でしか変化することなしに得られるように、（Ｂ）（ａ）（ｉ）第１の同軸ケーブルＣＡ１の第９のポートＮ９及び第２の外部導体４を遮蔽型二対結合線路ＣＬの第１のポートＮ１及び第１の外部導体２にそれぞれ連結し、且つ（ｉｉ）第２の同軸ケーブルＣＡ２の第１０のポートＮ１０及び第３の外部導体６を遮蔽型二対結合線路ＣＬの第３のポートＮ３及び第１の外部導体２にそれぞれ連結するとともに、（ｉｉｉ）遮蔽型二対結合線路ＣＬの第５及び第７のポートＮ５及びＮ７を遮蔽型二対結合線路ＣＬの第１の外部導体２に連結すること、及び（ｂ）（ｉ）第１の同軸ケーブルＣＡ１の第９のポートＮ９及び第２の外部導体４を遮蔽型二対結合線路ＣＬの第２のポートＮ２及び第１の外部導体２にそれぞれ連結し、且つ（ｉｉ）第２の同軸ケーブルＣＡ２の第１０のポートＮ１０及び第３の外部導体６を遮蔽型二対結合線路ＣＬの第４のポートＮ４及び第１の外部導体２にそれぞれ連結するとともに、（ｉｉｉ）遮蔽型二対結合線路ＣＬの第６及び第８のポートＮ６及びＮ８を遮蔽型二対結合線路ＣＬの第１の外部導体２に連結することを、遮蔽型二対結合線路ＣＬの第１及び第２の内部導体Ｌ１及びＬ２間の高周波結合度Ｃ１２を予定の値から変化せしめないか予定の値から変化せしめるとしても予定の許容値の範囲内でしか変化せしめることなしに、確実に、行うことができる、新規な遮蔽型二対結合線路コネクタを提案せんとするものである。
【００１３】
【課題を解決するための手段】
本願第１番目の発明による遮蔽型二対結合線路コネクタは、（Ａ）（ａ）（ｉ）第１及び第２の端面を有する第１の絶縁柱体内に、▲１▼対の第１及び第２の内部導体が、それらの一方の遊端を上記第１の端面から第１及び第３のポートとしてそれぞれ外方に延長させ、他方の遊端を上記第２の端面から第２及び第４のポートとしてそれぞれ外方に延長させている状態で、上記第１の絶縁柱体の軸線を含む第１の面上において上記第１の絶縁柱体の軸線からみて互いに対称に且つ上記第１の絶縁柱体の軸線と平行な関係を保って延長配列され、且つ、▲２▼　対の第３及び第４の内部導体が、それらの一方の遊端を上記第１の端面から第５及び第７のポートとしてそれぞれ外方に延長させ、他方の遊端を上記第２の端面から第６及び第８のポートとしてそれぞれ外方に延長させている状態で、上記第１の絶縁柱体の軸線を含む上記第１の面と直交する第２の面上において上記第１の絶縁柱体の軸線からみて互いに対称に且つ上記第１の絶縁柱体の軸線と平行な関係を保って延長配列されているとともに、（ｉｉ）上記第１の絶縁柱体の周りにその全長に亘って第１の外部導体が配されている遮蔽型二対結合線路を、（ｂ）（ｉ）第２の絶縁柱体内に第５の内部導体が、その一方の遊端を上記第２の絶縁柱体の一方の端面から第９のポートとして外方に延長させている状態で、上記第２の絶縁柱体の軸線上に延長して配列されているとともに、上記第２の絶縁柱体の周りに第２の外部導体が配されている第１の同軸ケーブルと、（ｉｉ）第３の絶縁柱体内に第６の内部導体が、その一方の遊端を上記第３の絶縁柱体の一方の端面から第１０のポートとして外方に延長させている状態で、上記第３の絶縁柱体の軸線上に延長して配列されているとともに、上記第３の絶縁柱体の周りに第３の外部導体が配されている第２の同軸ケーブルとに連結するための遮蔽型二対結合線路コネクタであって、（Ｂ）（ａ）上記遮蔽型二対結合線路の上記第１の端面側の端部が挿通される第１の遮蔽型二対結合線路端部挿通孔を有する底板部と、（ｂ）その底板部の左端部及び右端部からそれらとそれぞれ一体に互いに対向して上方にそれぞれ延長し且つ後記第１の内部導体内装絶縁柱体の第１１のポート側の端部及び後記第２の内部導体内装絶縁柱体の第１２のポート側の端部がそれぞれ左方及び右方から挿通される第１及び第２の内部導体内装絶縁柱体端部挿通孔をそれぞれ有する左板部及び右板部と、（ｃ）（ｉ）上記左板部及び上記右板部からそれらとそれぞれ一体に左方及び右方にそれぞれ延長し、且つ（ｉｉ）上記左板部の第１の内部導体内装絶縁柱体端部挿通孔及び上記右板部の第２の内部導体内装絶縁柱体端部挿通孔にそれぞれ同心的に連通している、後記第１及び第２の内部導体内装絶縁柱体をそれぞれ左方及び右方から配置させるための第１及び第２の内部導体内装絶縁柱体配置孔をそれぞれ有するとともに、外周に第１及び第２の外部導体連結用部をそれぞれ形成している第１及び第２の内部導体内装絶縁柱体配置用導体部と、（ｄ）（ｉ）上記底板部からそれと一体にまたはそれと連結して下方に延長し、且つ（ｉｉ）上記底板部の第１の遮蔽型二対結合線路端部挿通孔に同心的に連通している、上記遮蔽型二対結合線路の端部を下方から挿通させるための第２の遮蔽型二対結合線路端部挿通孔を有する遮蔽型二対結合線路端部挿通用導体部とを有する導電性ブロックと、（Ｃ）上記導電性ブロックの底板部上に、上記導電性ブロックの左板部及び右板部間に上記底板部の第１の遮蔽型二対結合線路端部挿通孔を覆って延長している状態に、上記底板部と連結して固定配置されるまたは固定配置されている第１の遮蔽用導体板と、（Ｄ）上記導電性ブロックの底板部上に上記第１の遮蔽用導体板が固定配置されている状態で、その第１の遮蔽用導体板上に、上記導電性ブロックの左板部及び右板部間に延長している状態に上記第１の遮蔽用導体板と連結して固定配置されるまたは固定配置されている第２の遮蔽用導体板と、（Ｅ）第４の絶縁柱体内に、一方の端部に第１の内部導体連結用部を形成している第７の内部導体が、その上記第１の内部導体連結用部を上記第４の絶縁柱体の一方の端面側において外部に臨ませ且つ上記第１の内部導体連結用部の他方の端部を上記第４の絶縁柱体の他方の端面から第１１のポートとして外方に延長させている状態で、上記第４の絶縁柱体の軸上に延長して固定配置されている第１の内部導体内装絶縁柱体と、（Ｆ）第５の絶縁柱体内に、一方の端部に第２の内部導体連結用部を形成している第８の内部導体が、その上記第２の内部導体連結用部を上記第５の絶縁柱体の一方の端面側において外部に臨ませ且つ上記第２の内部導体連結用部の他方の端部を上記第５の絶縁柱体の他方の端面から第１２のポートとして外方に延長させている状態で、上記第５の絶縁柱体の軸上に延長して固定配置されている第２の内部導体内装絶縁柱体とを有し、（Ｇ）上記第１の遮蔽用導体板が、上記導電性ブロックの底板部上に固定して配されている状態でみて、（ａ）上記底板部の第１の遮蔽型二対結合線路挿通孔にともに連通するように、左端面及び右端面からそれぞれ付されている、上記遮蔽型二対結合線路の第１及び第３のポートまたは第２及び第４のポートをそれぞれ位置させるための第１及び第２の切欠と、（ｂ）上記底板部の第１の遮蔽型二対結合線路挿通孔にともに連通するように、上面及び底面間に延長して穿設されている、上記遮蔽型二対結合線路の第５及び第７のポートまたは第８及び第６のポートをそれぞれ挿入させるための第１及び第２のポート挿通用貫通孔とを有し、（Ｈ）（ａ）上記第１の内部導体内装絶縁柱体が、上記導電性ブロックの第１の内部導体内装絶縁柱体配置用導体部の第１の内部導体内装絶縁柱体配置孔内に、上記第１の内部導体内装絶縁柱体の第７の内部導体の第１１のポート側の端部を上記導電性ブロックの左板部の上記第１の内部導体内装絶縁柱体端部挿通孔内に配置し且つ上記第１の内部導体内装絶縁柱体の第７の内部導体の第１１のポートの遊端部を、上記導電性ブロックの底板部上に上記第１の遮蔽用導体板が固定配置されている状態でみて、その第１の遮蔽用導体板の第１の切欠内に位置させている状態で、固定配置され、（ｂ）それによって、上記導電性ブロックの第１の内部導体内装絶縁柱体配置用導体部を外部導体、上記第１の内部導体内装絶縁柱体の第７の内部導体を内部導体とする第１の同軸ケーブルコネクタが、上記導電性ブロックと、その左板部の左側において、一体に構成され、（Ｉ）（ａ）上記第２の内部導体内装絶縁柱体が、上記導電性ブロックの第２の内部導体内装絶縁柱体配置用導体部の第２の内部導体内装絶縁柱体配置孔内に、上記第２の内部導体内装絶縁柱体の第１２のポート側の端部を上記導電性ブロックの右板部の上記第２の内部導体内装絶縁柱体端部挿通孔内に配置し且つ上記第２の内部導体内装絶縁柱体の第８の内部導体の第１２のポートの遊端部を、上記導電性ブロックの底板部上に上記第１の遮蔽用導体板が固定配置されている状態でみて、その第１の遮蔽用導体板の第２の切欠内に位置させている状態で、固定配置され、（ｂ）それによって、上記導電性ブロックの第２の内部導体内装絶縁柱体配置用導体部を外部導体、上記第２の内部導体内装絶縁柱体の第８の内部導体を内部導体とする第２の同軸ケーブルコネクタが、上記導電性ブロックと、その上記右板部の右側において、一体に構成され、（Ｊ）（ａ）上記遮蔽型二対結合線路の第１、第３、第５及び第７のポート側の端部が、上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に下方から挿通され得、それによって、上記導電性ブロックの底板部上に上記第１の遮蔽用導体板が固定配置されている状態でみて、上記遮蔽型二対結合線路の第１及び第３のポートが上記第１の遮蔽用導体板の第１及び第２の切欠内にそれぞれ位置され且つ上記遮蔽型二対結合線路の第５及び第７のポートが上記第１の遮蔽用導体板の第１及び第２のポート挿通用貫通孔内にそれぞれ挿入されている状態で、（ｉ）上記遮蔽型二対結合線路の第１の外部導体が、上記導電性ブロックの遮蔽型二対結合線路端部挿通用導体部に連結されまたは連結され得、それによって、上記遮蔽型二対結合線路が上記導電性ブロックに固定されまたは固定され得るようになされているとともに、（ｉｉ）上記遮蔽型二対結合線路の第１及び第３のポートの遊端が上記第１の同軸ケーブルコネクタの内部導体としての上記第７の内部導体の第１１のポート及び上記第２の同軸ケーブルコネクタの内部導体としての第１２の内部導体の第１２のポートに連結されまたは連結され得るようになされ、且つ上記遮蔽型二対結合線路の第５及び第７のポートが上記第１の遮蔽用導体板にその第１及び第２のポート挿通用貫通孔の位置においてそれぞれ連結されまたは連結され得、それによって、上記遮蔽型二対結合線路の第５及び第７のポートが上記第１の遮蔽用導体板を介して上記遮蔽型二対結合線路の第１の外部導体に連結されまたは連結され得るようになされ、または、（ｂ）上記遮蔽型二対結合線路の第２、第４、第６及び第８のポート側の端部が、上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に下方から挿通され得、それによって、上記導電性ブロックの底板部上に上記第１の遮蔽用導体板が固定配置されている状態でみて、上記遮蔽型二対結合線路の第２及び第４のポートが上記第１の遮蔽用導体板の第１及び第２の切欠内にそれぞれ位置され且つ上記遮蔽型二対結合線路の第６及び第８のポートが上記第１の遮蔽用導体板の第２及び第１のポート挿通用貫通孔にそれぞれ挿入されている状態で、（ｉ）上記遮蔽型二対結合線路の第１の外部導体が、上記導電性ブロックの遮蔽型二対結合線路端部挿通用導体部に連結されまたは連結され得、それによって、上記遮蔽型二対結合線路が上記導電性ブロックに固定されまたは固定され得るようになされているとともに、（ｉｉ）上記遮蔽型二対結合線路の第２及び第４のポートの遊端が上記第１の同軸ケーブルコネクタの内部導体としての上記第７の内部導体の第１１のポート及び上記第２の同軸ケーブルコネクタの内部導体としての第８の内部導体の第１２のポートに連結されまたは連結され得るようになされ、且つ上記遮蔽型二対結合線路の第６及び第８のポートが上記第１の遮蔽用導体板にその第２及び第１のポート挿通用貫通孔の位置においてそれぞれ連結されまたは連結され得、それによって、上記遮蔽型二対結合線路の第６及び第８のポートが上記第１の遮蔽用導体板を介して上記遮蔽型二対結合線路の第１の外部導体に連結されまたは連結され得るようになされ、（Ｋ）上記導電性ブロックと一体に上記第１及び第２の同軸ケーブルコネクタが構成され、上記導電性ブロックの底板部上に第１の遮蔽用導体板が固定され、上記遮蔽型二対結合線路が上記導電性ブロックに固定され、上記第１の同軸ケーブルコネクタの内部導体としての上記第１の内部導体内装絶縁柱体の第７の内部導体の第１１のポート及び上記第２の同軸ケーブルコネクタの内部導体としての第２の内部導体内装絶縁柱体の第８の内部導体の第１２のポートの遊端が、上記導電性ブロックに固定されている上記遮蔽型二対結合線路の第１及び第３のポート、または第２及び第４のポートにそれぞれ連結されている状態で、上記第２の遮蔽用導体板が上記第１の遮蔽用導体板上に、それと連結して、固定配置され得るようになされ、（Ｌ）上記第１の同軸ケーブルコネクタの内部導体としての上記第１の内部導体内装絶縁柱体の第７の内部導体の第１１のポートに連結される第９の内部導体と、上記第１の同軸ケーブルコネクタの外部導体としての上記導電性ブロックの第１の内部導体内装絶縁柱体配置用導体部に連結される第４の外部導体とを有して、上記第１の同軸ケーブルコネクタに連結し得る第３の同軸ケーブルコネクタが、その第４の外部導体及び第９の内部導体に上記第１の同軸ケーブルの第２の外部導体及び第９のポートをそれぞれ連結している状態で、上記第１の同軸ケーブルコネクタに連結されることによって、（ｉ）上記第１の同軸ケーブルの第２の外部導体が、上記第３の同軸ケーブルコネクタの第４の外部導体、及び上記第１の同軸ケーブルコネクタの外部導体としての上記導電性ブロックの第１の内部導体内装絶縁柱体配置用導体部を介して、上記導電性ブロックに固定されている上記遮蔽型二対結合線路の第１の外部導体に連結され得るようになされるているとともに、（ｉｉ）上記第１の同軸ケーブルの第９のポートが、上記第３の同軸ケーブルコネクタの第９の内部導体、及び上記第１の同軸ケーブルコネクタの内部導体としての上記第１の内部導体内装絶縁柱体の第７の内部導体を介して、上記導電性ブロックに固定されている遮蔽型二対結合線路の第１のポートまたは第２のポートに連結され得るようになされ、（Ｍ）上記第２の同軸ケーブルコネクタの内部導体としての上記第２の内部導体内装絶縁柱体の第８の内部導体の第１２のポートに連結される第１０の内部導体と、上記第２の同軸ケーブルコネクタの外部導体としての上記導電性ブロックの第１の内部導体内装絶縁柱体配置用導体部に連結される第５の外部導体とを有して、上記第２の同軸ケーブルコネクタに連結し得る第４の同軸ケーブルコネクタが、その第５の外部導体及び第１０の内部導体に上記第２の同軸ケーブルの第３の外部導体及び第１０のポートをそれぞれ連結している状態で、上記第２の同軸ケーブルコネクタに連結されることによって、（ｉ）上記第２の同軸ケーブルの第３の外部導体が、上記第４の同軸ケーブルコネクタの第５の外部導体、及び上記第２の同軸ケーブルコネクタの外部導体としての上記導電性ブロックの第１の内部導体内装絶縁柱体配置用導体部を介して、上記導電性ブロックに固定されている上記遮蔽型二対結合線路の第１の外部導体に連結され得るようになされるているとともに、（ｉｉ）上記第２の同軸ケーブルの第１０のポートが、上記第４の同軸ケーブルコネクタの第１０の内部導体、及び上記第２の同軸ケーブルコネクタの内部導体としての上記第２の内部導体内装絶縁柱体の第８の内部導体を介して、上記導電性ブロックに固定されている遮蔽型二対結合線路の第３のポートまたは第４のポートに連結され得るようになされている。
【００１４】
本願第２番目の発明による遮蔽型二対結合線路コネクタは、（Ａ）（ａ）（ｉ）第１及び第２の端面を有する第１の絶縁柱体内に、▲１▼対の第１及び第２の内部導体が、それらの一方の遊端を上記第１の端面から第１及び第３のポートとしてそれぞれ外方に延長させ、他方の遊端を上記第２の端面から第２及び第４のポートとしてそれぞれ外方に延長させている状態で、上記第１の絶縁柱体の軸線を含む第１の面上において上記第１の絶縁柱体の軸線からみて互いに対称に且つ上記第１の絶縁柱体の軸線と平行な関係を保って延長配列され、且つ、▲２▼対の第３及び第４の内部導体が、それらの一方の遊端を上記第１の端面から第５及び第７のポートとしてそれぞれ外方に延長させ、他方の遊端を上記第２の端面から第６及び第８のポートとしてそれぞれ外方に延長させている状態で、上記第１の絶縁柱体の軸線を含む上記第１の面と直交する第２の面上において上記第１の絶縁柱体の軸線からみて互いに対称に且つ上記第１の絶縁柱体の軸線と平行な関係を保って延長配列されているとともに、（ｉｉ）上記第１の絶縁柱体の周りにその全長に亘って第１の外部導体が配されている遮蔽型二対結合線路を、（ｂ）（ｉ）第２の絶縁柱体内に第５の内部導体が、その一方の遊端を上記第２の絶縁柱体の一方の端面から第９のポートとして外方に延長させている状態で、上記第２の絶縁柱体の軸線上に延長して配列されているとともに、上記第２の絶縁柱体の周りに第２の外部導体が配されている第１の同軸ケーブルと、（ｉｉ）第３の絶縁柱体内に第６の内部導体が、その一方の遊端を上記第３の絶縁柱体の一方の端面から第１０のポートとして外方に延長させている状態で、上記第３の絶縁柱体の軸線上に延長して配列されているとともに、上記第３の絶縁柱体の周りに第３の外部導体が配されている第２の同軸ケーブルとに連結するための遮蔽型二対結合線路コネクタであって、（Ｂ）（ａ）上記遮蔽型二対結合線路の上記第１の端面側の端部が挿通される第１の遮蔽型二対結合線路端部挿通孔を有する底板部と、（ｂ）その底板部の左端部及び右端部からそれらとそれぞれ一体に互いに対向して上方にそれぞれ延長し且つ上記第１の同軸ケーブルの第９のポート側の端部及び第２の同軸ケーブルの第１０のポート側の端部がそれぞれ挿通される第１及び第２の同軸ケーブル端部挿通孔をそれぞれ有する左板部及び右板部と、（ｃ）（ｉ）上記左板部及び上記右板部からそれらとそれぞれ一体に左方及び右方にそれぞれ延長し、且つ（ｉｉ）上記左板部の第１の同軸ケーブル端部挿通孔及び上記右板部の第２の同軸ケーブル端部挿通孔にそれぞれ同心的に連通している、上記第１の同軸ケーブルの第９のポート側の端部及び上記第２の同軸ケーブルの第１０のポート側の端部をそれぞれ左方及び右方から挿通させるための第３及び第４の同軸ケーブル端部挿通孔をそれぞれ有する第１及び第２の同軸ケーブル端部挿通用導体部と、（ｄ）（ｉ）上記底板部からそれと一体にまたはそれと連結して下方に延長し、且つ（ｉｉ）上記底板部の第１の遮蔽型二対結合線路端部挿通孔に同心的に連通している、上記遮蔽型二対結合線路の端部を下方から挿通させるための第２の遮蔽型二対結合線路端部挿通孔を有する遮蔽型二対結合線路端部挿通用導体部とを有する導電性ブロックと、（Ｃ）上記導電性ブロックの底板部上に、上記導電性ブロックの左板部及び右板部間に上記底板部の第１の遮蔽型二対結合線路端部挿通孔を覆って延長している状態に、上記底板部と連結して固定配置されるまたは固定配置されている第１の遮蔽用導体板と、（Ｄ）上記導電性ブロックの底板部上に上記第１の遮蔽用導体板が固定配置されている状態で、その第１の遮蔽用導体板上に、上記導電性ブロックの左板部及び右板部間に延長している状態に上記第１の遮蔽用導体板と連結して固定配置されるまたは固定配置されている第２の遮蔽用導体板とを有し、（Ｅ）第１の遮蔽用導体板が、上記導電性ブロックの底板部上に固定配置されている状態でみて、（ａ）上記底板部の第１の遮蔽型二対結合線路挿通孔にともに連通するように、左端面及び右端面からそれぞれ付されている、上記遮蔽型二対結合線路の第１及び第３のポートまたは第２及び第４のポートをそれぞれ位置させるための第１及び第２の切欠と、（ｂ）上記底板部の第１の遮蔽型二対結合線路挿通孔にそれぞれ連通するように、上面及び底面間に延長して穿設されている、上記遮蔽型二対結合線路の第５及び第７のポートまたは第８及び第６のポートをそれぞれ挿入させるための第１及び第２のポート挿通用貫通孔とを有し、（Ｆ）（ａ）上記遮蔽型二対結合線路の第１、第３、第５及び第７のポート側の端部が、上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に下方から挿通され得、それによって、上記導電性ブロックの底板部上に上記第１の遮蔽用導体板が固定配置されている状態でみて、上記遮蔽型二対結合線路の第１及び第３のポートが上記第１の遮蔽用導体板の第１及び第２の切欠内にそれぞれ位置され且つ上記遮蔽型二対結合線路の第５及び第７のポートが上記第１の遮蔽用導体板の第１及び第２のポート挿通用貫通孔にそれぞれ挿入されている状態で、（ｉ）上記遮蔽型二対結合線路の第１の外部導体が、上記導電性ブロックの遮蔽型二対結合線路端部挿通用導体部に連結されまたは連結され得、それによって、上記遮蔽型二対結合線路が上記導電性ブロックに固定されまたは固定され得るようになされているとともに、（ｉｉ）上記遮蔽型二対結合線路の第５及び第７のポートの遊端が上記第１の遮蔽用導体板にその第１及び第２のポート挿通用貫通孔の位置においてそれぞれ連結されまたは連結され得、それによって、上記遮蔽型二対結合線路の第５及び第７のポートが上記第１の遮蔽用導体板を介して上記遮蔽型二対結合線路の第１の外部導体に連結されまたは連結され得るようになされ、または、（ｂ）　上記遮蔽型二対結合線路の第２、第４、第６及び第８のポート側の端部が、上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に下方から挿通され得、それによって、上記導電性ブロックの底板部上に上記第１の遮蔽用導体板が固定配置されている状態でみて、上記遮蔽型二対結合線路の第２及び第４のポートが上記第１の遮蔽用導体板の第１及び第２の切欠内にそれぞれ位置され且つ上記遮蔽型二対結合線路の第６及び第８のポートが上記第１の遮蔽用導体板の第２及び第１のポート挿通用貫通孔にそれぞれ挿入されている状態で、（ｉ）上記遮蔽型二対結合線路の第１の外部導体が、上記導電性ブロックの遮蔽型二対結合線路端部挿通用導体部に連結されまたは連結され得、それによって、上記遮蔽型二対結合線路が上記導電性ブロックに固定されまたは固定され得るようになされているとともに、（ｉｉ）上記遮蔽型二対結合線路の第６及び第８のポートの遊端が上記第１の遮蔽用導体板にその第２及び第１のポート挿通用貫通孔の位置においてそれぞれ連結されまたは連結され得、それによって、上記遮蔽型二対結合線路の第６及び第８のポートが上記第１の遮蔽用導体板を介して上記遮蔽型二対結合線路の第１の外部導体に連結されまたは連結され得るようになされ、Ｇ）上記第１の同軸ケーブルの第９のポート側の端部が、上記導電性ブロックの第１の同軸ケーブル端部挿通用導体部の左方から、上記導電性ブロックの第１の同軸ケーブル端部挿通用導体部の第３の同軸ケーブル端部挿入孔及び上記導電性ブロックの左板部の第１の同軸ケーブル端部挿通孔内に挿通され得、それによって、（ａ）上記遮蔽型二対結合線路が、その第１、第３、第５及び第７のポート側の端部を上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に挿通して、上記導電性ブロックに固定されている場合、上記第１の同軸ケーブルの第９のポートの遊端が上記遮蔽型二対結合線路の第１のポートに近接対向乃至対接し、その状態で、（ｉ）上記第１の同軸ケーブルの第２の外部導体が上記導電性ブロックの第１の同軸ケーブル端部挿通用導体部に連結され得、それによって、上記第１の同軸ケーブルが上記導電性ブロックに固定され得るようになされているとともに、（ｉｉ）上記第１の同軸ケーブルの第９のポートの遊端が上記遮蔽型二対結合線路の第１のポートに連結され得るようになされ、（ｂ）上記遮蔽型二対結合線路が、その第２、第４、第６及び第８のポート側の端部を上記導電性ブロックの導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に挿通して、上記導電性ブロックに固定されている場合、上記第１の同軸ケーブルの第９のポートの遊端が上記遮蔽型二対結合線路の第２のポートに近接対向乃至対接し、その状態で、（ｉ）上記第１の同軸ケーブルの第２の外部導体が上記導電性ブロックの第１の同軸ケーブル端部挿通用導体部に連結され得、それによって、上記第１の同軸ケーブルが上記導電性ブロックに固定され得るようになされているとともに、（ｉｉ）上記第１の同軸ケーブルの第９のポートの遊端が上記遮蔽型二対結合線路の第２のポートに連結され得るようになされ、（Ｈ）上記第２の同軸ケーブルの第１０のポート側の端部が、上記導電性ブロックの第２の同軸ケーブル端部挿通用導体部の右方から、上記導電性ブロックの第２の同軸ケーブル端部挿通用導体部の第４の同軸ケーブル端部挿入孔及び上記導電性ブロックの右板部の第２の同軸ケーブル端部挿通孔内に挿通され得、それによって、（ａ）上記遮蔽型二対結合線路が、その第１、第３、第５及び第７のポート側の端部を上記導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に挿通して、上記導電性ブロックに固定されている場合、上記第２の同軸ケーブルの第１０のポートの遊端が上記遮蔽型二対結合線路の第３のポートに近接対向乃至対接し、その状態で、（ｉ）上記第２の同軸ケーブルの第３の外部導体が上記導電性ブロックの第２の同軸ケーブル端部挿通用導体部に連結され得、それによって、上記第２の同軸ケーブルが上記導電性ブロックに固定され得るようになされているとともに、（ｉｉ）上記第２の同軸ケーブルの第１０のポートの遊端が上記遮蔽型二対結合線路の第３のポートに連結され得るようになされ、（ｂ）上記遮蔽型二対結合線路が、その第２、第４、第６及び第８のポート側の端部を上記導電性ブロックの導電性ブロックの遮蔽型二対結合線路端部挿通用導体部の第２の遮蔽型二対結合線路端部挿通孔及び上記導電性ブロックの底板部の第１の遮蔽型二対結合線路端部挿通孔内に挿通して、上記導電性ブロックに固定されている場合、上記第２の同軸ケーブルの第１０のポートの遊端が上記遮蔽型二対結合線路の第４のポートに近接対向乃至対接し、その状態で、（ｉ）上記第２の同軸ケーブルの第３の外部導体が上記導電性ブロックの第２の同軸ケーブル端部挿通用導体部に連結され得、それによって、上記第２の同軸ケーブルが上記導電性ブロックに固定され得るようになされているとともに、（ｉｉ）上記第２の同軸ケーブルの第１０のポートの遊端が上記遮蔽型二対結合線路の第４のポートに連結され得るようになされ、（Ｉ）上記第１の同軸ケーブルの第９のポート及び上記第２の同軸ケーブルの第１０のポートの遊端が上記導電性ブロックに固定されている上記遮蔽型二対結合線路の第１及び第３のポート、または第２及び第４のポートにそれぞれ連結されている状態で、上記第２の遮蔽用導体板が上記第１の遮蔽用導体板上にそれと連結して固定配置され得るようになされている。
【００１５】
【発明の実施の形態１】
次に、図１〜図１８を伴って、本発明による遮蔽型二対結合線路コネクタの第１の実施の形態を述べよう。
図１〜図１８において、図２〜図４との対応部分には同一符号を付し、詳細説明を省略する。
【００１６】
図１は、本発明による遮蔽型二対結合線路コネクタの第１の実施の形態を、その使用状態とともに示し、導電性ブロック１０を有する。
この導電性ブロック１０は、図５とともに参照して明らかなように、（ａ）図２を伴って上述した遮蔽型二対結合線路ＣＬの端部が挿通される第１の遮蔽型二対結合線路端部挿通孔１１ａを有する底板部１１と、（ｂ）その底板部１１の左端部及び右端部からそれらとそれぞれ一体に互いに対向して上方にそれぞれ延長し且つ後述する第１の内部導体内装絶縁柱体２０の第１１のポートＮ１１側の端部及び後述する第２の内部導体内装絶縁柱体２４の第１２のポートＮ１２側の端部がそれぞれ左方及び右方から挿通される第１及び第２の内部導体内装絶縁柱体端部挿通孔１２Ｌａ及び１２Ｒａをそれぞれ有する左板部１２Ｌ及び右板部１２Ｒと、（ｃ）（ｉ）それら左板部１２Ｌ及び右板部１２Ｒからそれらとそれぞれ一体に左方及び右方にそれぞれ延長し、且つ（ｉｉ）左板部１２Ｌの第１の内部導体内装絶縁柱体端部挿通孔１２Ｌａ及び右板部１２Ｒの第２の内部導体内装絶縁柱体端部挿通孔１２Ｒａにそれぞれ同心的に連通している、後述する第１及び第２の内部導体内装絶縁柱体２０及び２４をそれぞれ左方及び右方から配置させるための第１及び第２の内部導体内装絶縁柱体配置孔１３Ｌａ及び１３Ｒａをそれぞれ有するとともに、外周に螺子構成の第１及び第２の外部導体連結用部１３Ｌｂ及び１３Ｒｂをそれぞれ形成している第１及び第２の内部導体内装絶縁柱体配置用導体部１３Ｌ及び１３Ｒと、（ｄ）（ｉ）底板部１１からそれと一体にまたはそれと連結して下方に延長し、且つ（ｉｉ）底板部１１の第１の遮蔽型二対結合線路端部挿通孔１１ａに同心的に連通している、遮蔽型二対結合線路ＣＬの端部を下方から挿通させるための第２の遮蔽型二対結合線路端部挿通孔１４ａを有する遮蔽型二対結合線路端部挿通用導体部１４とを有する。
【００１７】
また、本発明による遮蔽型二対結合線路コネクタの第１の実施の形態においては、上述した導電性ブロック１０の底板部１１上に、導電性ブロック１０の左板部１２Ｌ及び右板部１２Ｒ間に底板部１１の第１の遮蔽型二対結合線路端部挿通孔１１ａを覆って延長している状態に、導電性融着剤を用いて、底板部１１、及び左板部１２Ｌ及び右板部１２Ｒと連結して、固定配置されるまたは固定配置されている第１の遮蔽用導体板１５を有する。
【００１８】
この第１の遮蔽用導体板１５は、図６とともに参照して明らかなように、導電性ブロック１０の底板部１１上に固定して配されている状態でみて、（ａ）底板部１１の第１の遮蔽型二対結合線路端部挿通孔１１ａにともに連通するように、左端面及び右端面からそれぞれ付されている、遮蔽型二対結合線路ＣＬの第１及び第３のポートＮ１及びＮ３または第２及び第４のポートＮ２及びＮ４をそれぞれ位置させるための第１及び第２の切欠１５ａ及び１５ｂと、（ｂ）底板部１１の第１の遮蔽型二対結合線路端部挿通孔１１ａにともに連通するように、上面及び底面間に延長して穿設されている、遮蔽型二対結合線路ＣＬの第５及び第７のポートＮ５及びＮ７、または第８及び第６のポートＮ８及びＮ６をそれぞれ挿入させるための第１及び第２のポート挿通用貫通孔１５ｃ及び１５ｄとを有する。
【００１９】
さらに、本発明による遮蔽型二対結合線路コネクタの第１の実施の形態においては、導電性ブロック１０の底板部１１上に第１の遮蔽用導体板１５が固定配置されている状態で、その第１の遮蔽用導体板１５上に、導電性ブロック１０の左板部１２Ｌ及び右板部１２Ｒ間に延長している状態に第１の遮蔽用導体板１５と連結して固定配置されるまたは固定配置されている、図７とともに参照して明らかなような、第２の遮蔽用導体板１６を有する。
【００２０】
また、本発明による遮蔽型二対結合線路コネクタの第１の実施の形態においては、導電性ブロック１０の底板部１１上に固定して配されている第１の遮蔽用導体板１５上に第２の遮蔽用導体板１６が固定して配されている状態で、導電性ブロック１０を、その第１及び第２の内部導体内装絶縁柱体配置用導体部１３Ｌ及び１３Ｒ、及び遮蔽型二対結合線路端部挿通用導体部１４を除いて、カバーして、導電性ブロック１０に固定して配されているまたは固定して配される導電性筒状カバー体１７を有する。
【００２１】
この導電性筒状カバー体１７は、図８とともに参照して明らかなように、（ａ）導電性ブロック１０の底板部１１、左板部１２Ｌ及び右板部１２Ｒ、及び第１及び第２の遮蔽用導体板１５及び１６の前端面に当接する前面板１７ａと、（ｂ）導電性ブロック１０の底板部１１、左板部１２Ｌ及び右板部１２Ｒ、及び第１及び第２の遮蔽用導体板１５及び１６の後端面に当接する背面板１７ｂと、（ｃ）それら前面板１７ａ及び背面板１７ｂ間にそれらと一体に延長し且つ孔１７ｅを上下面間に穿設している、導電性ブロック１０の左板部１２Ｌ及び右板部１２Ｒの上端面、及び第２の遮蔽用導体板１６の上面に当接する上面板１７ｃと、（ｄ）それら前面板１７ａ及び背面板１７ｂ間にそれらと一体に延長し且つ導電性ブロック１０の遮蔽型二対結合線路端部挿通用導体部１４が例えば左端側から挿入される切込１７ｆを形成している、導電性ブロック１０の底板部１１の下端面と当接する下面板１７ｄとを有する。
【００２２】
さらに、本発明による遮蔽型二対結合線路コネクタの第１の実施の形態においては、図９とともに参照して明らかなような、第４の絶縁柱体２１内に、一方の端部に後述する第３の同軸ケーブルコネクタＣＮ３の第９の内部導体３１の第３の内部導体連結用部３１ａが挿入連結される第１の内部導体連結用部２２ａを形成している第７の内部導体２２が、その第１の内部導体連結用部２２ａを第４の絶縁柱体２１の一方の端面側において外部に臨ませ且つ第１の内部導体連結用部２２ａの他方の端部を第４の絶縁柱体２１の他方の端面から第１１のポートＮ１１として外方に延長させている状態で、第４の絶縁柱体２１の軸上に延長して固定配置されている第１の内部導体内装絶縁柱体２０を有する。
【００２３】
そして、（ａ）その第１の内部導体内装絶縁柱体２０が、図１０に示すように、上述した導電性ブロック１０の第１の内部導体内装絶縁柱体配置用導体部１３Ｌの第１の内部導体内装絶縁柱体配置孔１３Ｌａ内に、第１の内部導体内装絶縁柱体２０の第７の内部導体２２の第１１のポートＮ１１側の端部を導電性ブロック１０の左板部１２Ｌの第１の内部導体内装絶縁柱体端部挿通孔１２Ｌａ内に配置し且つ第１の内部導体内装絶縁柱体２０の第７の内部導体２２の第１１のポートＮ１１の遊端部を、導電性ブロック１０の底板部１１上に第１の遮蔽用導体板１５が固定配置されている状態でみて、その第１の遮蔽用導体板１５の第１の切欠１５ａ内に位置させている状態で、導電性ブロック１０の第１の内部導体内装絶縁柱体配置用導体部１３Ｌの外面から内部導体内装絶縁柱体２０の第７の内部導体２２の外面に達するまで延長している固着材注入孔１８Ｌ及び１８Ｌ′を穿設し、次で、それら固着材注入孔１８Ｌ及び１８Ｌ′内に合成樹脂によるような固着材１９Ｌ及び１９Ｌ′を注入することによって、固定して配置され、（ｂ）それによって、導電性ブロック１０の第１の内部導体内装絶縁柱体配置用導体部１３Ｌを外部導体、第１の内部導体内装絶縁柱体２０の第７の内部導体２２を内部導体とする第１の同軸ケーブルコネクタＣＮ１が、導電性ブロック１０とその左板部１２Ｌの左側において一体に構成されている。
【００２４】
また、本発明による遮蔽型二対結合線路コネクタの第１の実施の形態においては、同様に、図９とともに参照して明らかなような、第５の絶縁柱体２５内に、一方の端部に後述する第４の同軸ケーブルコネクタＣＮ４の第１０の内部導体４１の第５の内部導体連結用部４１ａが挿入連結される第２の内部導体連結用部２６ａを形成している第８の内部導体２６が、その第２の内部導体連結用部２６ａを第５の絶縁柱体２５の一方の端面側において外部に臨ませ且つ第２の内部導体連結用部２６ａの他方の端部を第５の絶縁柱体２５の他方の端面から第１２のポートＮ１２として外方に延長させている状態で、第５の絶縁柱体２５の軸上に延長して固定配置されている第２の内部導体内装絶縁柱体２４を有する。
【００２５】
そして、（ａ）その第２の内部導体内装絶縁柱体２４が、同じく、図１０に示すように、上述した導電性ブロック１０の第２の内部導体内装絶縁柱体配置用導体部１３Ｒの第２の内部導体内装絶縁柱体配置孔１３Ｒａ内に、第２の内部導体内装絶縁柱体２４の第１２のポートＮ１２側の端部を導電性ブロック１０の右板部１２Ｒの第２の内部導体内装絶縁柱体端部挿通孔１２Ｒａ内に配置し且つ第２の内部導体内装絶縁柱体２４の第８の内部導体２６の第１２のポートＮ１２の遊端部を、導電性ブロック１０の底板部１１上に第１の遮蔽用導体板１５が固定配置されている状態でみて、その第１の遮蔽用導体板１５の第２の切欠１５ｂ内に位置させている状態で、導電性ブロック１０の第１の内部導体内装絶縁柱体配置用導体部１３Ｒの外面から内部導体内装絶縁柱体２４の第８の内部導体２６の外面に達するまで延長している固着材注入孔１８Ｒ及び１８Ｒ′を穿設し、次で、それら固着材注入孔１８Ｒ及び１８Ｒ′内に合成樹脂によるような固着材１９Ｒ及び１９Ｒ′を注入することによって、固定して配置され、（ｂ）それによって、導電性ブロック１０の第２の内部導体内装絶縁柱体配置用導体部１３Ｒを外部導体、第２の内部導体内装絶縁柱体２４の第８の内部導体２６を内部導体とする第２の同軸ケーブルコネクタＣＮ２が、導電性ブロック１０とその右板部１２Ｒの右側において一体に構成されている。
【００２６】
また、本発明による遮蔽型二対結合線路コネクタの第１の実施の形態においては、（ａ）図１１に示すように、遮蔽型二対結合線路ＣＬの第１、第３、第５及び第７のポートＮ１、Ｎ３、Ｎ５及びＮ７側の端部が、導電性ブロック１０の遮蔽型二対結合線路端部挿通用導体部１４の第２の遮蔽型二対結合線路端部挿通孔１４ａ及び導電性ブロック１０の底板部１１の第１の遮蔽型二対結合線路端部挿通孔１１ａ内に下方から挿通され得、それによって、導電性ブロック１０の底板部１１上に第１の遮蔽用導体板１５が固定して配されている状態でみて、遮蔽型二対結合線路ＣＬの端面が遮蔽用導体板１５の下面に接触しているとともに、遮蔽型二対結合線路ＣＬの第１及び第３のポートＮ１及びＮ３が第１の遮蔽用導体板１５の第１及び第２の切欠１５ａ及び１５ｂ内にそれぞれ位置され且つ遮蔽型二対結合線路ＣＬの第５及び第７のポートＮ５及びＮ７が第１の遮蔽用導体板１５の第１及び第２のポート挿通用貫通孔１５ｃ及び１５ｄ内にそれぞれ挿入されている状態で、（ｉ）遮蔽型二対結合線路ＣＬの第１の外部導体２が、導電性ブロック１０の遮蔽型二対結合線路端部挿通用導体部１４に半田付けなどによって連結されまたは連結され得、それによって、遮蔽型二対結合線路ＣＬが導電性ブロック１０に固定されまたは固定され得るようになされているとともに、（ｉｉ）遮蔽型二対結合線路ＣＬの第１及び第３のポートＮ１及びＮ３の遊端が第１の同軸ケーブルコネクタＣＮ１の内部導体としての第１の内部導体内装絶縁柱体２０の第７の内部導体２２の第１１のポートＮ１１及び第２の同軸ケーブルコネクタＣＮ２の内部導体としての第２の内部導体内装絶縁柱体２４の第１２の内部導体２６の第１２のポートＮ１２にそれぞれ連結されまたは連結され得るようになされ、且つ遮蔽型二対結合線路ＣＬの第５及び第７のポートＮ５及びＮ７の遊端が、第１の遮蔽用導体板１５にその第１及び第２のポート挿通用貫通孔１５ｃ及び１５ｄの位置においてそれぞれ半田付けなどによって連結されまたは連結され得、それによって、遮蔽型二対結合線路ＣＬの第５及び第７のポートＮ５及びＮ７が第１の遮蔽用導体板１５を介して遮蔽型二対結合線路ＣＬの第１の外部導体２に連結されまたは連結され得るようになされ、または、（ｂ）遮蔽型二対結合線路ＣＬの第２、第４、第６及び第８のポートＮ２、Ｎ４、Ｎ６及びＮ８側の端部が、導電性ブロック１０の遮蔽型二対結合線路端部挿通用導体部１４の第２の遮蔽型二対結合線路端部挿通孔１４ａ及び導電性ブロック１０の底板部１１の第１の遮蔽型二対結合線路端部挿通孔１１ａ内に下方から挿通され得、それによって、導電性ブロック１０の底板部１１上に第１の遮蔽用導体板１５が固定して配されている状態でみて、遮蔽型二対結合線路ＣＬの端面が遮蔽用導体板１５の下面に接触しているとともに、遮蔽型二対結合線路ＣＬの端面が遮蔽用導体板１５の下面に接触しているとともに、遮蔽型二対結合線路ＣＬの第２及び第４のポートＮ２及びＮ４が第１の遮蔽用導体板１５の第１及び第２の切欠１５ａ及び１５ｂ内にそれぞれ位置され且つ遮蔽型二対結合線路ＣＬの第６及び第８のポートＮ６及びＮ８が第１の遮蔽用導体板１５の第１及び第２のポート挿通用貫通孔１５ｃ及び１５ｄ内にそれぞれ挿入されている状態で、（ｉ）遮蔽型二対結合線路ＣＬの第１の外部導体２が、導電性ブロック１０の遮蔽型二対結合線路端部挿通用導体部１４に半田付けなどによって連結されまたは連結され得、それによって、遮蔽型二対結合線路ＣＬが導電性ブロック１０に固定されまたは固定され得るようになされているとともに、（ｉｉ）遮蔽型二対結合線路ＣＬの第２及び第４のポートＮ２及びＮ４の遊端が第１の同軸ケーブルコネクタＣＮ１の内部導体としての第１の内部導体内装絶縁柱体２０の第７の内部導体２２の第１１のポートＮ１１及び第２の同軸ケーブルコネクタＣＮ２の内部導体としての第２の内部導体内装絶縁柱体２４の第１２の内部導体２６の第１２のポートＮ１２にそれぞれ連結されまたは連結され得るようになされ、且つ遮蔽型二対結合線路ＣＬの第６及び第８のポートＮ６及びＮ８の遊端が、第１の遮蔽用導体板１５にその第１及び第２のポート挿通用貫通孔１５ｃ及び１５ｄの位置においてそれぞれ半田付けなどによって連結されまたは連結され得、それによって、遮蔽型二対結合線路ＣＬの第６及び第８のポートＮ６及びＮ８が第１の遮蔽用導体板１５を介して遮蔽型二対結合線路ＣＬの第１の外部導体２に連結されまたは連結され得るようになされている。
【００２７】
さらに、本発明による遮蔽型二対結合線路コネクタの第１の実施の形態においては、図１１に示すように、上述したようにして、第１及び第２の同軸ケーブルコネクタＣＮ１及びＣＮ２が導電性ブロック１０と一体に構成され、導電性ブロック１０の底板部１１上に第１の遮蔽用導体板１５が固定され、遮蔽型二対結合線路ＣＬが導電性ブロック１０に固定され、第１の同軸ケーブルコネクタＣＮ１の内部導体としての第１の内部導体内装絶縁柱体２０の第７の内部導体２２の第１１のポートＮ１１及び第２の同軸ケーブルコネクタＣＮ２の内部導体としての第２の内部導体内装絶縁柱体２４の第８の内部導体２６の第１２のポートＮ１２の遊端が、導電性ブロック１０に固定されている遮蔽型二対結合線路ＣＬの第１及び第３のポートＮ１及びＮ３、または第２及び第４のポートＮ２及びＮ４にそれぞれ連結されている状態で、第２の遮蔽用導体板１６が、第１の遮蔽用導体板１５上に、それと、それらの外周面に臨むそれらの接合位置での半田付けなどによって、連結して、固定配置されまたは固定配置され得るようになされている。
【００２８】
また、本発明による遮蔽型二対結合線路コネクタの第１の実施の形態においては、同じく図１１に示すように、上述したようにして、第２の遮蔽用導体板１６が第１の遮蔽用導体板１５上に固定配置されている状態で、上述した導電性筒状カバー体１７が、その前面板１７ａ及び背面板１７ｂを、導電性ブロック１０の底板部１１、左板部１２Ｌ及び右板部１２Ｒ、及び第１及び第２の遮蔽用導体板１５及び１６の前端面及び後端面にそれぞれ当接させ、上面板１７ｃを、導電性ブロック１０の左板部１２Ｌ及び右板部１２Ｒの上端面、及び第２の遮蔽用導体板１６の上面に当接させ、下面板１７ｄを、その切込み１７ｆ内に遮蔽型二対結合線路端部挿通用導体部１４を挿入させ且つ導電性ブロック１０の底板部１１の下端面と当接させて、導電性ブロック１０を、第１及び第２の内部導体内装絶縁柱体配置用導体部１３Ｌ及び１３Ｒ、及び遮蔽型二対結合線路挿通用導体部１４を除いて、カバーし得、そして、第２の遮蔽用導体板１６に、上面板１７ｃの孔１７ｅの位置において、例えば半田付けによって、連結され得るようになされている。
【００２９】
さらに、本発明による遮蔽型二対結合線路コネクタの第１の実施の形態においては、第３及び第４の同軸ケーブルコネクタＣＮ３及びＣＮ４を有する。
第３の同軸ケーブルコネクタＣＮ３は、図１２〜図１８とともに参照して明らかなように、（ａ）（ｉ）上述した第１の内部導体内装絶縁柱体２０に内装されている第７の内部導体２２の第１の内部導体連結用部２２ａに挿入連結される第３の内部導体連結用部３１ａと、（ｉｉ）上述した図３に示されているような第１の同軸ケーブルＣＡ１の第９のポートＮ９の遊端が挿入連結される第４の内部導体連結用部３１ｂとを有する第９の内部導体３１と、（ｂ）その第９の内部導体３１を、その第３の内部導体連結用部３１ａを一方の端面から外方に突出させている状態で、同心的に内装し且つ第９の内部導体３１の第４の内部導体連結用部３１ｂを他方の端面側において外部に臨ませている、両端面間に同心的に貫通している第９の内部導体３１が配置される内部導体配置孔３２ａを有する第６の絶縁柱体３２と、（ｃ）（ｉ）一方の端面側に形成されている、第６の絶縁柱体３２を配置する第１の絶縁柱体配置孔３３ａと、（ｉｉ）他方の端面側に第１の絶縁柱体配置孔３３ａと連通して形成されている、図３に示されているような第１の同軸ケーブルＣＡ１の第９のポートＮ９側の端部が挿入される第１の同軸ケーブル端部挿通孔３３ｂと、（ｉｉｉ）外周に形成されている第１のＣリング導体配置用溝３３ｃとを有する第４の外部導体３３と、（ｄ）（ｉ）一方の端面側に形成され且つ内周に第２のＣリング導体配置用溝３４ａａを形成している、第４の外部導体３３が挿入される第１の外部導体挿入孔３４ａと、（ｉｉ）他方の端面側に第１の外部導体挿入孔３４ａと連通して形成され且つ内周に導電性ブロック１０の第１の内部導体内装絶縁柱体配置用導体部１３Ｌの螺子構成の第１の外部導体連結部１３Ｌｂに螺合連結する母螺構成の第３の外部導体連結部３４ｂａを形成している、導電性ブロック１０の第１の内部導体内装絶縁柱体配置用導体部１３Ｌの左板部１２Ｌ側の端部が挿入される第１の内部導体内装絶縁柱体配置用導体部挿入孔３４ｂとを有する第１の連結用筒状導体３４と、（ｅ）第４の外部導体３３の第１のＣリング導体配置用溝３３ｃ及び第１の連結用筒状導体３４の第２のＣリング導体配置用溝３４ａａ内に配される第１のＣリング導体３５とを有する。
【００３０】
また、第４の同軸ケーブルコネクタＣＮ４は、同じく、図１２〜図１８とともに参照して明らかなように且つ第３の同軸ケーブルコネクタＣＮ３と同様に、（ａ）（ｉ）上述した第２の内部導体内装絶縁柱体２４に内装されている第８の内部導体２６の第２の内部導体連結用部２６ａに挿入連結される第５の内部導体連結用部４１ａと、（ｉｉ）第２の同軸ケーブルＣＡ２の第１０のポートＮ１０の遊端が挿入連結される第６の内部導体連結用部４１ｂとを有する第１０の内部導体４１と、（ｂ）その第１０の内部導体４１を、その第５の内部導体連結用部４１ａを一方の端面から外方に突出させている状態で、同心的に内装し且つ第１０の内部導体４１の第６の内部導体連結用部４１ｂを他方の端面側において外部に臨ませている、両端面間に同心的に貫通している第１０の内部導体４１が配置される内部導体配置孔４２ａを有する第７の絶縁柱体４２と、（ｃ）（ｉ）一方の端面側に形成されている、第７の絶縁柱体を配置する第２の絶縁柱体配置孔４３ａと、（ｉｉ）他方の端面側に第２の絶縁柱体配置孔４３ａと連通して形成されている、第２の同軸ケーブルＣＡ２の第１０のポートＮ１０側の端部が挿入される第２の同軸ケーブル端部挿通孔４３ｂと、（ｉｉｉ）外周に形成されている第３のＣリング導体配置用溝４３ｃとを有す第５の外部導体４３と、（ｄ）（ｉ）　一方の端面側に形成され且つ内周に第４のＣリング導体配置用溝４４ａａを形成している、第５の外部導体５３が挿入される第２の外部導体挿入孔４４ａと、（ｉｉ）他方の端面側に第２の外部導体挿入孔４４ａと連通して形成され且つ内周に導電性ブロック１０の第２の内部導体内装絶縁柱体配置用導体部１３Ｒの螺子構成の第２の外部導体連結部１３Ｒｂに螺合連結する母螺構成の第４の外部導体連結部４４ｂａを形成している、導電性ブロック１０の第２の内部導体内装絶縁柱体配置用導体部１３Ｒの右板部１２Ｒ側の端部が挿入される第２の内部導体内装絶縁柱体配置用導体部挿入孔４４ｂを有する第２の連結用筒状導体４４と、（ｅ）第５の外部導体４３の第３のＣリング導体配置用溝４３ｃ及び第２の連結用筒状導体４４の第４のＣリング導体配置用溝４４ａａ内に配される第２のＣリング導体４５とを有する。
【００３１】
また、本発明による遮蔽型二対結合線路コネクタの第１の実施の形態においては、上述した第３の同軸ケーブルコネクタＣＮ３が、上述した第１の同軸ケーブルＣＡ１の第９のポートＮ９側の遊端に、図１７Ｄ及び図１８Ｄに示すように、▲１▼第４の外部導体３３の第１の絶縁柱体配置孔３３ａ内に第６の絶縁柱体３２が挿入固定され、▲２▼その第６の絶縁柱体３２内に第９の内部導体３１が挿入固定され、▲３▼第４の外部導体３３の周りに、第１の連結用筒状導体３４が、第４の外部導体３３の第１のＣリング導体配置用溝３３ｃ及び第１の連結用筒状導体３４の第２のＣリング導体配置用溝３４ａａ内に第１のＣリング導体３５を配することによって、配され、▲４▼第４の外部導体３３の第１の同軸ケーブル端部挿通孔３３ｂ内に第１の同軸ケーブルＣＡ１の第５の内部導体Ｌ５の第９のポートＮ９側の端部が挿入され、▲５▼その第５の内部導体Ｌ５の第９のポートＮ９が第９の内部導体３１の第４の内部導体連結用部３１ｂに連結され、▲６▼第１の同軸ケーブルＣＡ１の第２の外部導体４が第４の外部導体３３に連結された状態に、取り付けられるようになされている。
【００３２】
なお、第３の同軸ケーブルコネクタＣＮ３が第１の同軸ケーブルＣＡ１の第９のポートＮ９側の遊端に上述した状態に取付けられるようになされているとする、その上述した状態は、実際上、（ａ）▲１▼図１７Ａを参照して明らかなように、第１の同軸ケーブルＣＡ１の第９のポートＮ９の端部を、その遊端に予め半田付けした状態で、第３の同軸ケーブルコネクタＣＮ３の第９の内部導体３１の第４の内部導体連結用部３１ｂ内に挿入して後、第１の同軸ケーブルＣＡ１の第９のポートＮ９の端部に付された半田を第９の内部導体３１の外側から加熱融溶することによる半田付けによって、第９の内部導体３１を、第３の同軸ケーブルＣＡ３の第９のポートＮ９の端部に、第９のポートＮ９から延長しているように取付け置き、そして、▲２▼図１７Ｂを参照して明らかなように、第３の同軸ケーブルコネクタＣＮ３の第４の外部導体３３の第１の同軸ケーブル端部挿通孔３３ｂ内に、第１の同軸ケーブルＣＡ１の端部を、それに取付けられた第９の内部導体３１側から、その第９の内部導体３１の第３の内部導体連結用部３１ａが第４の外部導体３３の端面から突出するように挿通し、その状態で、第４の外部導体３３を第１の同軸ケーブルＣＡ１の第２の外部導体４に半田付けなどによって連結し、次に▲３▼図１７Ｃを参照して明らかなように、第３の同軸ケーブルコネクタＣＮ３の第４の外部導体３３の第１の絶縁柱体配置孔３３ａ内に、第６の絶縁柱体３２を、その第１の内部導体配置孔３２ａ内に第９の内部導体３１を挿入した状態で、挿入固定し、次に、▲４▼図１７Ｄを参照して明らかなように、第４の外部導体３３の周りに、第１の連結用筒状導体３４を、第４の外部導体３３の第１のＣリング導体配置用溝３３ｃ及び第１の連結用筒状導体３１の第２のＣリング導体配置用溝４４ａａ内に第１のＣリング導体３５を配することによって得ることができ、また、（ｂ）▲１▼図１８Ａを参照して明らかなように、且つ上記（ａ）▲１▼の場合と同様に、第９の内部導体３１を、第１の同軸ケーブルＣＡ１の第９のポートＮ９の端部に、第９のポートＮ９から延長しているように取付け置き、一方、▲２▼図１８Ｂを参照して明らかなように、第１の同軸ケーブルコネクタＣＮ１の第４の外部導体３３の第１の絶縁柱体配置孔３３ａ内に、第６の絶縁柱体３２を挿入固定し置き、そして、▲３▼図１８Ｃを参照して明らかなように、第４の外部導体３３の第１の同軸ケーブル端部挿通孔３３ｂ内に、第１の同軸ケーブルＣＡ１の端部を、それに取付けられた第９の内部導体３１側から、その第９の内部導体３１を第６の絶縁柱体３２内に挿通して、挿通し、その状態で、第４の外部導体３３を第１の同軸ケーブルＣＡ１の第２の外部導体４に半田付けなどによって連結し、次に、▲４▼図１８Ｄを参照して明らかなように、且つ上記（ａ）▲４▼の場合と同様に、第４の外部導体３３の周りに第１の連結用筒状導体３４を配する、ということによっても得ることができる。
【００３３】
また、第１の同軸ケーブルコネクタＣＮ１が、上述したようにして、第１の同軸ケーブルＣＡ１の遊端に取り付けられた状態で、その第１の同軸ケーブルコネクタＣＮ１の第１の連結用筒状導体３４の第３の外部導体連結部３４ｂａ、及び第９の内部導体３１の第３の内部導体連結部３１ａが、上述した第３の同軸ケーブルコネクタＣＮ３の外部導体としての導電性ブロック１０の第１の内部導体内装絶縁柱体配置用導体部１３Ｌの第１の外部導体連結用部１３Ｌｂ、及び第３の同軸ケーブルコネクタＣＮ３の内部導体としての第１の内部導体内装絶縁柱体２０の第７の内部導体２２の第１の内部導体連結用部２２ａにそれぞれ連結され得るようになされ、それによって、第１の同軸ケーブルＣＡ１の第２の外部導体４及び第５の内部導体Ｌ５の第９のポートＮ９が、遮蔽型二対結合線路ＣＬの第１の外部導体２及び第１の内部導体Ｌ１の第１のポートＮ１にそれぞれ連結され得るようになされている。
【００３４】
さらに、本発明による遮蔽型二対結合線路コネクタの第１の実施の形態においては、上述した第４の同軸ケーブルコネクタＣＮ４が、上述した第２の同軸ケーブルコネクタＣＮ２の第１０のポートＮ１０側の遊端に、図１７Ｄ及び図１８Ｄに示すように、且つ詳細説明は省略するが、第３の同軸ケーブルコネクタＣＮ３が第１の同軸ケーブルＣＡ１の第９のポートＮ９側の遊端に取付けられているようになされている場合の説明において、第３の同軸ケーブルコネクタＣＮ３を第４の同軸ケーブルコネクタＣＮ４、第４の外部導体３３を第５の外部導体４３、第１の絶縁柱体配置孔３３ａを第２の絶縁柱体配置孔４３ａ、第６の絶縁柱体３２を第７の絶縁柱体４２、第９の内部導体３１を第１０の内部導体４１、第４の内部導体連結用部３１ｂを第６の内部導体連結用部４１ｂ、第１の連結用筒状導体３４を第２の連結用筒状導体４４、第１及び第２のＣリング導体配置用溝３３ｃ及び３４ａａを第３及び第４のＣリング導体配置用溝４３ｃ及び４４ａａ、第１のＣリング導体３５を第２のＣリング導体４５、第１の同軸ケーブル端部挿通孔３３ｂを第２の同軸ケーブル端部挿通孔４３ｂ、第１の同軸ケーブルＣＡ１を第２の同軸ケーブルＣＡ２、第２の外部導体４を第３の外部導体６、第５の内部導体Ｌ５の第９のポートＮ９を第６の内部導体Ｌ６の第１０のポートＮ１０と読み替えた態様で、取付けられるようになされている。
【００３５】
以上で、本発明による遮蔽型二対結合線路コネクタの第１の実施の形態の構成が明らかとなった。
このような構成を有する本発明による遮蔽型二対結合線路コネクタの第１の実施の形態によれば、上述したところから明らかなように、
▲１▼図４を伴って上述した導電性ブロック１０の底板部１１上に、図１０に示すように、図５を伴って上述した第１の遮蔽用導体板１５を、導電性ブロック１０の左板部１２Ｌ及び右板部１２Ｒ間に底板部１１の第１の遮蔽型二対結合線路端部挿通孔１１ａを覆って延長している状態に、導電性融着剤を用いて、底板部１１、及び左板部１２Ｌ及び右板部１２Ｒと連結して、固定配置し、
▲２▼次に、またはその前に、（ｉ）導電性ブロック１０の第１の内部導体内装絶縁柱体配置用導体部１３Ｌの第１の内部導体内装絶縁柱体配置孔１３Ｌａ内に、同じく図１０に示すように、図８を伴って上述した第１の内部導体内装絶縁柱体２０を、第１の内部導体内装絶縁柱体２０の第７の内部導体２２の第１１のポートＮ１１側の端部を導電性ブロック１０の左板部１２Ｌの第１の内部導体内装絶縁柱体端部挿通孔１２Ｌａ内に配置し且つ第１の内部導体内装絶縁柱体２０の第７の内部導体２２の第１１のポートＮ１１の遊端部を第１の遮蔽用導体板１５の第１の切欠１５ａ内に位置させている状態に、固定して配置し、それによって、導電性ブロック１０の第１の内部導体内装絶縁柱体配置用導体部１３Ｌを外部導体、第１の内部導体内装絶縁柱体２０の第７の内部導体２２を内部導体とする第１の同軸ケーブルコネクタＣＮ１を、導電性ブロック１０とその左板部１２Ｌの左側において一体に構成するとともに、（ｉｉ）導電性ブロック１０の第２の内部導体内装絶縁柱体配置用導体部１３Ｒの第２の内部導体内装絶縁柱体配置孔１３Ｒａ内に、図８を伴って上述した第２の内部導体内装絶縁柱体２４を、第２の内部導体内装絶縁柱体２４の第８の内部導体２６の第１２のポートＮ１２側の端部を導電性ブロック１０の右板部１２Ｒの第２の内部導体内装絶縁柱体端部挿通孔１２Ｒａ内に配置し且つ第２の内部導体内装絶縁柱体２４の第８の内部導体２６の第１２のポートＮ１２の遊端部を第１の遮蔽用導体板１５の第２の切欠１５ｂ内に位置させている状態に、固定して配置し、それによって、導電性ブロック１０の第２の内部導体内装絶縁柱体配置用導体部１３Ｒを外部導体、第２の内部導体内装絶縁柱体２４の第８の内部導体２６を内部導体とする第２の同軸ケーブルコネクタＣＮ２を、導電性ブロック１０とその右板部１２Ｒの右側において一体に構成し、
▲３▼次に、またはその前に、もしくは導電性ブロック１０の底板部１１上に第１の遮蔽用導体板１５を上述したように固定配置する前に、図１１に示すように、図２を伴って上述した遮蔽型二対結合線路ＣＬを、導電性ブロック１０に、その底板部１１上に第１の遮蔽用導体板１５が固定して配されているとした場合でみて、（ｉ）遮蔽型二対結合線路ＣＬの端面が第１の遮蔽用導体板１５の下面に接触しているとともに、遮蔽型二対結合線路ＣＬの第１及び第３のポートＮ１及びＮ３、または第２及び第４のポートＮ２及びＮ４の遊端が、第１の遮蔽用導体板１５の第１及び第２の切欠１５ａ及び１５ｂ内にそれぞれ位置されている状態に、且つ（ｉｉ）遮蔽型二対結合線路ＣＬの第１及び第３のポートＮ１及びＮ３の遊端が第１及び第２の切欠１５ａ及び１５ｂ内に位置されているか、または遮蔽型二対結合線路ＣＬの第２及び第４のポートＮ２及びＮ４の遊端が第１及び第２の切欠１５ａ及び１５ｂ内にそれぞれ位置されているかに応じて、遮蔽型二対結合線路ＣＬの第５及び第７のポートＮ５及びＮ７、または第６及び第８のポートＮ６及びＮ８が、第１の遮蔽用導体板１５の第１及び第２のポート挿通用貫通孔１５ｃ及び１５ｄにそれぞれ挿入されている状態に、固定し、
▲４▼次に、遮蔽型二対結合線路ＣＬの第１及び第３のポートＮ１及びＮ３の遊端が第１及び第２の切欠１５ａ及び１５ｂ内にそれぞれ位置されているか、または遮蔽型二対結合線路ＣＬの第２及び第４のポートＮ２及びＮ４の遊端が第１及び第２の切欠１５ａ及び１５ｂ内にそれぞれ位置されているかに応じて、その遮蔽型二対結合線路ＣＬの第１及び第３のポートＮ１及びＮ３、または第２及び第４のポートＮ２及びＮ４の遊端を、同じく図１１に示すように、第１の同軸ケーブルコネクタＣＮ１の第１１のポートＮ１１及び第２の同軸ケーブルコネクタＣＮ２の第１２のポートＮ１２の遊端にそれぞれ半田付けによって連結するとともに、遮蔽型二対結合線路ＣＬの第５及び第７のポートＮ５及びＮ７が第１の遮蔽用導体板１５の第１及び第２のポート挿通用貫通孔１５ｃ及び１５ｄに挿入されているか、または遮蔽型二対結合線路ＣＬの第６及び第８のポートＮ６及びＮ８が第１の遮蔽用導体板１５の第１及び第２のポート挿通用貫通孔１５ｃ及び１５ｄに挿入されているかに応じて、その遮蔽型二対結合線路ＣＬの第５及び第７のポートＮ５及びＮ７、または第６及び第８のポートＮ６及びＮ８を、第１及び第２のポート挿通用貫通孔１５ｃ及び１５ｄ内に半田を流し込むことによって、第１の遮蔽用導体板１５に連結し、
▲５▼次に、第１の遮蔽用導体板１５上に、同じく図１１に示すように、図７を伴って上述した第２の遮蔽用導体板１６を、第１の遮蔽用導体板１５、及び左板部１２Ｌ及び右板部１２Ｒと連結して、固定配置し、それによって、第２の遮蔽用導体板１６を導電性ブロック１０に固定配置した状態にし、
▲６▼次に、図８を伴って上述した導電性筒状カバー体１７を、それによって、同じく図１１に示すように、図８を伴って上述した導電性ブロック１０をカバーし、そして、導電性筒状カバー体１７の上面板１７ｃを、孔１７ｅ内において、第２の遮蔽用導体板１６に、半田付けによって連結することによって、導電性筒状カバー体１７を導電性ブロック１０に固定配置する、ということができる。
【００３６】
よって、図１１に示すように、遮蔽型二対結合線路ＣＬに、第１及び第２の同軸ケーブルコネクタＣＮ１及びＣＮ２が、（ｉ）遮蔽型二対結合線路ＣＬの第５及び第７のポートＮ５及びＮ７、または第６及び第８のポートＮ６及びＮ８をともに第１の遮蔽用導体板１５及び導電性ブロック１０の底板部１１を介して遮蔽型二対結合線路ＣＬの第１の外部導体２に連結し、且つ遮蔽型二対結合線路ＣＬの第１の外部導体２を第１の同軸ケーブルコネクタＣＮ１の外部導体としての導電性ブロック１０の第１の内部導体内装絶縁柱体配置用導体部１３Ｌ、及び同軸ケーブルコネクタＣＮ２の外部導体としての導電性ブロック１０の内部導体内装絶縁柱体配置用導体部１３Ｒに連結しているとともに、（ｉｉ）第１の同軸ケーブルコネクタＣＮ１の第１１のポートＮ１１及び第２の同軸ケーブルコネクタＣＮ２の第１２のポートＮ１２を、遮蔽型二対結合線路ＣＬの第５及び第７のポートＮ５及びＮ７が遮蔽型二対結合線路ＣＬの第１の外部導体２に連結されている場合遮蔽型二対結合線路ＣＬの第１及び第３のポートＮ１及びＮ３に、遮蔽型二対結合線路ＣＬの第６及び第８のポートＮ６及びＮ８を遮蔽型二対結合線路ＣＬの第１の外部導体２に連結されている場合遮蔽型二対結合線路ＣＬの第２及び第４のポートＮ２及びＮ４に、それぞれれ連結している状態に、連結されている、という構成を得ることができる。
【００３７】
一方、上述したところから明らかなように、且つ図１７及び図１８に示すように、第１の同軸ケーブルＣＡ１の遊端に、第３の同軸ケーブルコネクタＣＮ３を、第１の同軸ケーブルＣＡ１の第９のポートＮ９及び第２の外部導体４が第３の同軸ケーブルコネクタＣＮ３の第９の内部導体３１及び第４の外部導体３３にそれぞれ連結されている状態に、取付けることができ、また、第２の同軸ケーブルＣＡ２の遊端に、第４の同軸ケーブルコネクタＣＮ４を、第２の同軸ケーブルＣＡ２の第１０のポートＮ１０及び第３の外部導体６が第４の同軸ケーブルコネクタＣＮ４の第１０の内部導体４１及び第５の外部導体４３にそれぞれ連結されている状態に、取付けることができる。
【００３８】
以上のことから、本発明による遮蔽型二対結合線路コネクタの第１の実施の形態によれば、図１に示すように、（ａ）第１の同軸ケーブルＣＡ１の遊端に上述したように取付けられた第３の同軸ケーブルコネクタＣＮ３を、遮蔽型二対結合線路ＣＬに上述したように連結された第１の同軸ケーブルコネクタＣＮ１に、その第１の外部導体連結用部１３Ｌｂと第３の同軸ケーブルコネクタＣＮ３の第１の連結用筒状導体３４の第３の外部導体連結用部３４ｂａとを連結することによって、連結することができ、また、第２の同軸ケーブルＣＡ２の遊端に上述したように取付けられた第４の同軸ケーブルコネクタＣＮ４を、遮蔽型二対結合線路ＣＬに上述したように連結された第２の同軸ケーブルコネクタＣＮ２に、その第２の外部導体連結用部１３Ｒｂと第４の同軸ケーブルコネクタＣＮ４の第２の連結用筒状導体４４の第４の外部導体連結用部４４ｂａとを連結することによって、連結することができ、よって、（ｂ）第１及び第２の同軸ケーブルＣＡ１及びＣＡ２を、第５及び第７のポートＮ５及びＮ７、または第６及び第８のポートＮ６及びＮ８が第１の外部導体２に連結されている遮蔽型二対結合線路ＣＬに、（ｉ）第１の同軸ケーブルＣＡ１の第９のポートＮ９及び第２の同軸ケーブルＣＡ２の第１０のポートＮ１０が、第３及び第４の同軸ケーブルコネクタＣＮ３及びＣＮ４をそれぞれ介して、遮蔽型二対結合線路ＣＬの第５及び第７のポートＮ５及びＮ７が遮蔽型二対結合線路ＣＬの第１の外部導体２に連結されているか、または遮蔽型二対結合線路ＣＬの第６及び第８のポートＮ６及びＮ８が遮蔽型二対結合線路ＣＬの第１の外部導体２に連結されているかに応じて、遮蔽型二対結合線路ＣＬの第１及び第３のポートＮ１及びＮ３、または第２及び第４のポートＮ２及びＮ４にそれぞれ連結され、且つ（ｉｉ）第１の同軸ケーブルＣＡ１の第２の外部導体４及び第２の同軸ケーブルＣＡ２の第３の外部導体６が、第３及び第４の同軸ケーブルコネクタＣＮ３及びＣＮ４をそれぞれ介して遮蔽型二対結合線路ＣＬの第１の外部導体２に連結されている、という状態に、連結させることができる。
【００３９】
そして、上述したようにして、第１及び第２の同軸ケーブルＣＡ１及びＣＡ２が、第５及び第７のポートＮ５及びＮ７を第１の外部導体２に連結している遮蔽型二対結合線路ＣＬに、第１の同軸ケーブルＣＡ１の第９のポートＮ９及び第２の同軸ケーブルＣＡ２の第１０のポートＮ１０が遮蔽型二対結合線路ＣＬの第１及び第３のポートＮ１及びＮ３にそれぞれ連結されている状態に、連結されている場合、（ａ）（ｉ）遮蔽型二対結合線路ＣＬの第１及び第３のポートＮ１及びＮ３が、導電性ブロック１０の底板部１１上にそれと連結し且つ下面を遮蔽型二対結合線路ＣＬの端面に接触させて固定配置されている第１の遮蔽用導体板１５の切欠１５ａ及び１５ｂ内に位置されて、第１の同軸ケーブルコネクタＣＮ１の第１１のポートＮ１１及び第２の同軸ケーブルコネクタＣＮ２の第１２のポートＮ１２にそれぞれ連結され、且つ（ｉｉ）遮蔽型二対結合線路ＣＬの第５及び第７のポートＮ５及びＮ７が、導電性ブロック１０の底板部１１上にそれと連結し且つ下面を遮蔽型二対結合線路ＣＬの端面に接触させて固定配置されている第１の遮蔽用導体板１５の第１及び第２のポート挿通用貫通孔１５ｃ及び１５ｄ内に挿入されて、第１の遮蔽用導体板１５に連結されているとともに、（ｉｉｉ）遮蔽型二対結合線路ＣＬの第１のポートＮ１及び第１の同軸ケーブルコネクタＣＮ１の第１１のポートＮ１１の組及び遮蔽型二対結合線路ＣＬの第３のポートＮ３及び第２の同軸ケーブルコネクタＣＮ２の第１２のポートＮ１２の組のそれぞれが、導電性ブロック１０の底板部１１上にそれと連結し且つ下面を遮蔽型二対結合線路ＣＬの端面に接触させて固定配置され且つ遮蔽型二対結合線路ＣＬの第５及び第７のポートＮ５及びＮ７を連結している第１の遮蔽用導体板１５によって取囲まれているように配され、しかも、（ｉｖ）その第１の遮蔽用導体板１５上に、第２の遮蔽用導体板１６が、第１の遮蔽用導体板１５と連結し且つ遮蔽型二対結合線路ＣＬの第１のポートＮ１及び第１の同軸ケーブルコネクタＣＮ１の第１１のポートＮ１１の組、及び遮蔽型二対結合線路ＣＬの第３のポートＮ３及び第２の同軸ケーブルコネクタＣＮ２の第１２のポートＮ１２の組を覆って固定配置されているので、（ｂ）（ｉ）遮蔽型二対結合線路ＣＬの第５及び第７のポートＮ５及びＮ７間において電磁的な結合が実質的に生じないとともに、（ｉｉ）遮蔽型二対結合線路ＣＬの第１のポートＮ１及び第１の同軸ケーブルコネクタＣＮ１の第１１のポートＮ１１と、遮蔽型二対結合線路ＣＬの第３のポートＮ３及び第２の同軸ケーブルコネクタＣＮ２の第１２のポートＮ１２、及び遮蔽型二対結合線路ＣＬの第５及び第７のポートＮ５及びＮ７との間においても、電磁的な結合が実質的に生じない。
【００４０】
また、上述したようにして、第１及び第２の同軸ケーブルＣＡ１及びＣＡ２が、第６及び第８のポートＮ６及びＮ８を第１の外部導体２に連結している遮蔽型二対結合線路ＣＬに、第１の同軸ケーブルＣＡ１の第９のポートＮ９及び第２の同軸ケーブルＣＡ２の第１０のポートＮ１０が遮蔽型二対結合線路ＣＬの第２及び第４のポートＮ２及びＮ４にそれぞれ連結している状態に、連結されている場合、（ａ）（ｉ）遮蔽型二対結合線路ＣＬの第２及び第４のポートＮ２及びＮ４が、導電性ブロック１０の底板部１１上にそれと連結し且つ下面を遮蔽型二対結合線路ＣＬの端面に接触させて固定配置されている第１の遮蔽用導体板１５の切欠１５ａ及び１５ｂ内に位置されて、第１の同軸ケーブルコネクタＣＮ１の第１１のポートＮ１１及び第２の同軸ケーブルコネクタＣＮ２の第１２のポートＮ１２にそれぞれ連結され、且つ（ｉｉ）遮蔽型二対結合線路ＣＬの第６及び第８のポートＮ６及びＮ８が、導電性ブロック１０の底板部１１上にそれと連結し且つ下面を遮蔽型二対結合線路ＣＬの端面に接触させて固定配置されている第１の遮蔽用導体板１５の第１及び第２のポート挿通用貫通孔１５ｃ及び１５ｄ内に挿入されて、第１の遮蔽用導体板１５に連結されているとともに、（ｉｉｉ）遮蔽型二対結合線路ＣＬの第２のポートＮ２及び第１の同軸ケーブルコネクタＣＮ１の第１１のポートＮ１１の組及び遮蔽型二対結合線路ＣＬの第４のポートＮ４及び第２の同軸ケーブルコネクタＣＮ２の第１２のポートＮ１２の組のそれぞれが、導電性ブロック１０の底板部１１上にそれと連結し且つ下面を遮蔽型二対結合線路ＣＬの端面に接触させて固定配置され且つ遮蔽型二対結合線路ＣＬの第６及び第８のポートＮ６及びＮ８を連結している第１の遮蔽用導体板１５によって取囲まれているように配され、しかも、（ｉｖ）その第１の遮蔽用導体板１５上に、第２の遮蔽用導体板１６が、第１の遮蔽用導体板１５と連結し且つ遮蔽型二対結合線路ＣＬの第２のポートＮ２及び第１の同軸ケーブルコネクタＣＮ１の第１１のポートＮ１１の組、及び遮蔽型二対結合線路ＣＬの第４のポートＮ４及び第２の同軸ケーブルコネクタＣＮ２の第１２のポートＮ１２の組を覆って固定配置されているので、遮蔽型二対結合線路ＣＬの第６及び第８のポートＮ６及びＮ８間において電磁的な結合が実質的に生じないとともに、遮蔽型二対結合線路ＣＬの第２のポートＮ２及び第１の同軸ケーブルコネクタＣＮ１の第１１のポートＮ１１と、遮蔽型二対結合線路ＣＬの第４のポートＮ４及び第２の同軸ケーブルコネクタＣＮ２の第１２のポートＮ１２、及び遮蔽型二対結合線路ＣＬの第６及び第８のポートＮ６及びＮ８との間においても、電磁的な結合が実質的に生じない。
【００４１】
このため、本発明による遮蔽型二対結合線路コネクタの第１の実施の形態によれば、（Ａ）［発明が解決しようとする課題］で述べた、所望事項、すなわち、（ａ）（ｉ）遮蔽型二対結合線路ＣＬの第１のポートＮ１及び第１の外部導体２間に第１の高周波信号Ｓ１を第１の同軸ケーブルＣＡ１を介して供給し、且つ（ｉｉ）遮蔽型二対結合線路ＣＬの第３のポートＮ３及び第１の外部導体２間に得られる第３の高周波信号Ｓ３を第２の同軸ケーブルＣＡ２を介して得ること、及び（ｂ）（ｉ）遮蔽型二対結合線路ＣＬの第２のポートＮ２及び第１の外部導体２間に得られる第２の高周波信号Ｓ２を第１の同軸ケーブルＣＡ１を介して得、且つ（ｉｉ）抵抗Ｒ４を遮蔽型二対結合線路ＣＬの第４のポートＮ４及び第１の外部導体２間に第２の同軸ケーブルＣＡ２を介して接続することを、容易に満足させ、そして、第２及び第３の高周波信号Ｓ２及びＳ３の電力比Ｇ２３が予定の値から変化しないか予定の値から変化するとしても予定の許容値の範囲内でしか変化することなしに得られるように、（Ｂ）（ａ）（ｉ）第１の同軸ケーブルＣＡ１の第９のポートＮ９及び第２の外部導体４を遮蔽型二対結合線路ＣＬの第１のポートＮ１及び第１の外部導体２にそれぞれ連結し、且つ（ｉｉ）第２の同軸ケーブルＣＡ２の第１０のポートＮ１０及び第３の外部導体６を遮蔽型二対結合線路ＣＬの第３のポートＮ３及び第１の外部導体２にそれぞれ連結するとともに、（ｉｉｉ）遮蔽型二対結合線路ＣＬの第５及び第７のポートＮ５及びＮ７を遮蔽型二対結合線路ＣＬの第１の外部導体２に連結すること、及び（ｂ）（ｉ）第１の同軸ケーブルＣＡ１の第９のポートＮ９及び第２の外部導体４を遮蔽型二対結合線路ＣＬの第２のポートＮ２及び第１の外部導体２にそれぞれ連結し、且つ（ｉｉ）第２の同軸ケーブルＣＡ２の第１０のポートＮ１０及び第３の外部導体６を遮蔽型二対結合線路ＣＬの第４のポートＮ４及び第１の外部導体２にそれぞれ連結するとともに、（ｉｉｉ）遮蔽型二対結合線路ＣＬの第６及び第８のポートＮ６及びＮ８を遮蔽型二対結合線路ＣＬの第１の外部導体２に連結することを、遮蔽型二対結合線路ＣＬの第１及び第２の内部導体Ｌ１及びＬ２間の高周波結合度Ｃ１２を予定の値から変化せしめないか予定の値から変化せしめるとしても予定の許容値の範囲内でしか変化せしめることなしに、確実に、行うことができる。
【００４２】
【発明の実施の形態２】
次に、図１９〜図２１を伴って、本発明による遮蔽型二対結合線路コネクタの第２の実施の形態を述べよう。
図１９〜図２１において、図１、図２、図４、図５〜図８との対応部分には同一符号を付し、詳細説明は省略する。
【００４３】
本発明による遮蔽型二対結合線路コネクタの第２の実施の形態においては、本発明による遮蔽型二対結合線路コネクタの第１の実施の形態の場合と同様に、導電性ブロック１０を有する。
ただし、この導電性ブロック１０は、図２０とともに参照して明らかなように、（ａ）本発明による遮蔽型二対結合線路コネクタの第１の実施の形態の場合と同様の、第１の遮蔽型二対結合線路端部挿通孔１１ａを有する底板部１１と、（ｂ）本発明による遮蔽型二対結合線路コネクタの第１の実施の形態の場合と同様に、底板部１１の左端部及び右端部からそれらとそれぞれ一体に互いに対向して上方にそれぞれ延長しているが、本発明による遮蔽型二対結合線路コネクタの第１の実施の形態の場合とは異なり、図４に示す第１の同軸ケーブルＣＡ１の第２の絶縁柱体３の第９のポートＮ９側の端部及び第２の同軸ケーブルＣＡ２の第３の絶縁柱体５の第１０のポートＮ１０側の端部がそれぞれ挿入される、絶縁柱体３及び５の外径とほぼ等しい内径を有する第１及び第２の同軸ケーブル端部挿通孔１２Ｌａ’及び１２Ｒａ’をそれぞれ有する左板部１２Ｌ及び右板部１２Ｒと、（ｃ）（ｉ）それら左板部１２Ｌ及び右板部１２Ｒからそれらとそれぞれ一体に左方および右方にそれぞれ延長し、且つ（ｉｉ）左板部１２Ｌの第１の同軸ケーブル端部挿通孔１２Ｌａ’及び右板部１２Ｒの第２の同軸ケーブル端部挿通孔１２Ｒａ’にそれぞれ同心的に挿通している、第１の同軸ケーブルＣＡ１の第２の外部導体３を有する領域の第９のポートＮ９側の端部及び第２の同軸ケーブルＣＡ２の第３の外部導体６を有する領域の第１０のポートＮ１０側の端部がそれぞれ左方及び右方から挿入される第３及び第４の同軸ケーブル端部挿通孔５２Ｌａ及び５２Ｒａをそれぞれ有する第１及び第２の同軸ケーブル端部挿入用導体部５２Ｌ及び５２Ｒと、（ｄ）本発明による遮蔽型二対結合線路コネクタの第１の実施の形態の場合と同様の、第２の遮蔽型二対結合線路端部挿通孔１４ａを有する遮蔽型二対結合線路端部挿通用導体部１４とを有する。
【００４４】
さらに、本発明による遮蔽型二対結合線路コネクタの第２の実施の形態においては、本発明による遮蔽型二対結合線路コネクタの第１の実施の形態の場合と同様の、図６に示されているような、第１及び第２の切欠１５ａ及び１５ｂと第１及び第２のポート挿通用貫通孔１５ｃ及び１５ｄとを有する、導電性ブロック１０の底板部１１上にそれと連結されて固定配置されるまたは固定配置されている第１の遮蔽用導体板１５を有する。
【００４５】
さらに、本発明による遮蔽型二対結合線路コネクタの第２の実施の形態においては、本発明による遮蔽型二対結合線路コネクタの第１の実施の形態の場合と同様の、図７に示されているような、第１の遮蔽用導体板１５上にそれと連結して固定配置される第２の遮蔽用導体板１６を有する。
【００４６】
また、本発明による遮蔽型二対結合線路コネクタの第２の実施の形態においては、本発明による遮蔽型二対結合線路コネクタの第１の実施の形態の場合と同様の、図８に示されているような、前面板１７ａと背面板１７ｂと孔１７ｅを穿設している上面板１７ｃと切込み１７ｆを形成している下面板１７ｄとを有する、導電性ブロック１０をカバーして、それに固定して配される導電性カバー体１７を有する。
【００４７】
さらに、本発明による遮蔽型二対結合線路コネクタの第２の実施の形態においては、（ａ）図２１に示すように、図２に示されているような遮蔽型二対結合線路ＣＬの第１、第３、第５及び第７のポートＮ１、Ｎ３、Ｎ５及びＮ７側の端部が、導電性ブロック１０の遮蔽型二対結合線路端部挿通用導体部１４の第２の遮蔽型二対結合線路端部挿通孔１４ａ及び導電性ブロック１０の底板部１１の第１の遮蔽型二対結合線路端部挿通孔１１ａ内に下方から挿通され得、それによって、導電性ブロック１０の底板部１１上に第１の遮蔽用導体板１５が固定配置されている状態でみて、遮蔽型二対結合線路ＣＬの端面が第１の遮蔽用導体板１５の下面に接触しているとともに、遮蔽型二対結合線路ＣＬの第１及び第３のポートＮ１及びＮ３が第１の遮蔽用導体板１５の第１及び第２の切欠１５ａ及び１５ｂ内にそれぞれ位置され且つ遮蔽型二対結合線路ＣＬの第５及び第７のポートＮ５及びＮ７が第１の遮蔽用導体板１５の第１及び第２のポート挿通用貫通孔１５ｃ及び１５ｄ内にそれぞれ挿入されている状態で、（ｉ）遮蔽型二対結合線路ＣＬの第１の外部導体２が、導電性ブロック１０の遮蔽型二対結合線路端部挿通用導体部１４に半田付けなどによって連結されまたは連結され得、それによって、遮蔽型二対結合線路ＣＬが導電性ブロック１０に固定されまたは固定され得るようになされているとともに、（ｉｉ）遮蔽型二対結合線路ＣＬの第５及び第７のポートＮ５及びＮ７の遊端が、第１の遮蔽用導体板１５にその第１及び第２のポート挿通用貫通孔１５ｃ及び１５ｄの位置においてそれぞれ半田付けなどによって連結されまたは連結され得、それによって、遮蔽型二対結合線路ＣＬの第５及び第７のポートＮ５及びＮ７が第１の遮蔽用導体板１５を介して遮蔽型二対結合線路ＣＬの第１の外部導体２に連結されまたは連結され得るようになされ、または、（ｂ）遮蔽型二対結合線路ＣＬの第２、第４、第６及び第８のポートＮ２、Ｎ４、Ｎ６及びＮ８側の端部が、導電性ブロック１０の遮蔽型二対結合線路端部挿通用導体部１４の第２の遮蔽型二対結合線路端部挿通孔１４ａ及び導電性ブロック１０の底板部１１の第１の遮蔽型二対結合線路端部挿通孔１１ａ内に下方から挿通され得、それによって、導電性ブロック１０の底板部１１上に第１の遮蔽用導体板１５が固定して配されている状態でみて、遮蔽型二対結合線路ＣＬの端面が第１の遮蔽用導体板１５の下面に接触しているとともに、遮蔽型二対結合線路ＣＬの第２及び第４のポートＮ２及びＮ４が第１の遮蔽用導体板１５の第１及び第２の切欠１５ａ及び１５ｂ内にそれぞれ位置され且つ遮蔽型二対結合線路ＣＬの第６及び第８のポートＮ６及びＮ８が第１の遮蔽用導体板１５の第１及び第２のポート挿通用貫通孔１５ｃ及び１５ｄ内にそれぞれ挿入されている状態で、（ｉ）遮蔽型二対結合線路ＣＬの第１の外部導体２が、導電性ブロック１０の遮蔽型二対結合線路端部挿通用導体部１４に半田付けなどによって連結されまたは連結され得、それによって、遮蔽型二対結合線路ＣＬが導電性ブロック１０に固定されまたは固定され得るようになされているとともに、（ｉｉ）遮蔽型二対結合線路ＣＬの第６及び第８のポートＮ６及びＮ８の遊端が、第１の遮蔽用導体板１５にその第１及び第２のポート挿通用貫通孔１５ｃ及び１５ｄの位置においてそれぞれ半田付けなどによって連結されまたは連結され得、それによって、遮蔽型二対結合線路ＣＬの第６及び第８のポートＮ６及びＮ８が第１の遮蔽用導体板１５を介して遮蔽型二対結合線路ＣＬの第１の外部導体２に連結されまたは連結され得るようになされている。
【００４８】
また、本発明による遮蔽型二対結合線路コネクタの第２の実施の形態においては、図１９に示すように、図４に示されている第１の同軸ケーブルＣＡ１の第９のポートＮ９側の端部が、導電性ブロック１０の第１の同軸ケーブル端部挿通用導体部５２Ｌの第３の同軸ケーブル端部挿通孔５２Ｌａ内に、導電性ブロック１０の左板部１２Ｌの第１の同軸ケーブル端部挿通孔１２Ｌａ’側に向けて左方から挿入されて、第１の同軸ケーブルＣＡ１の第２の外部導体３を有する領域の第９のポートＮ９側の端部が導電性ブロック１０の第１の同軸ケーブル端部挿通孔５２Ｌａ内に挿入され且つ第１の同軸ケーブルＣＡ１の第２の絶縁柱体３の第９のポートＮ９側の端部が導電性ブロック１０の左板部１２Ｌの第１の同軸ケーブル端部挿通孔１２Ｌａ’に挿通し得、それによって、（ａ）遮蔽型二対結合線路ＣＬが、その第１、第３、第５及び第７のポートＮ１、Ｎ３、Ｎ５及びＮ７側の端部を導電性ブロック１０の遮蔽型二対結合線路端部挿通用導体部１４の第２の遮蔽型二対結合線路端部挿通孔１４ａ内に挿通して、導電性ブロック１０に固定されている場合、第１の同軸ケーブルＣＡ１の第９のポートＮ９の遊端が遮蔽型二対結合線路ＣＬの第１のポートＮ１に近接乃至対接し、その状態で、（ｉ）第１の同軸ケーブルＣＡ１の第２の外部導体３が第１の同軸ケーブル端部挿通用導体部５２Ｌに半田付けなどによって連結されまたは連結され得、それによって、第１の同軸ケーブルＣＡ１が導電性ブロック１０に固定され得るようになされているとともに、（ｉｉ）第１の同軸ケーブルＣＡ１の第９のポートＮ９の遊端が遮蔽型二対結合線路ＣＬの第１のポートＮ１に連結され得るようになされ、また、（ｂ）遮蔽型二対結合線路ＣＬが、その第２、第４、第６及び第８のポートＮ２、Ｎ４、Ｎ６及びＮ８側の端部を導電性ブロック１０の遮蔽型二対結合線路端部挿通用導体部１４の第２の遮蔽型二対結合線路端部挿通孔１４ａ内に挿通して、導電性ブロック１０に固定されている場合、第１の同軸ケーブルＣＡ１の第９のポートＮ９の遊端が遮蔽型二対結合線路ＣＬの第２のポートＮ２に近接乃至対接し、その状態で、（ｉ）第１の同軸ケーブルＣＡ１の第２の外部導体３が第１の同軸ケーブル端部挿通用導体部５２Ｌに半田付けなどによって連結されまたは連結され得、それによって、第１の同軸ケーブルＣＡ１が導電性ブロック１０に固定され得るようになされているとともに、（ｉｉ）第１の同軸ケーブルＣＡ１の第９のポートＮ９の遊端が遮蔽型二対結合線路ＣＬの第２のポートＮ２に連結され得るようになされている。
【００４９】
さらに、本発明による遮蔽型二対結合線路コネクタの第２の実施の形態においては、図１９に示すように、図４に示されている第２の同軸ケーブルＣＡ２の第１０のポートＮ１０側の端部が、導電性ブロック１０の第２の同軸ケーブル端部挿通用導体部５２Ｒの第４の同軸ケーブル端部挿通孔５２Ｒａ内に導電性ブロック１０の右板部１２Ｒの第２の同軸ケーブル端部挿通孔１２Ｒａ’側に向けて右方から挿入されて、第２の同軸ケーブルＣＡ２の第３の外部導体６を有する領域の第１０のポートＮ１０側の端部が導電性ブロック１０の第２の同軸ケーブル端部挿通孔５２Ｒａ内に挿入され且つ第１の同軸ケーブルＣＡ２の第３の絶縁柱体５の第１０のポートＮ１０側の端部が導電性ブロック１０の右板部１２Ｒの第２の同軸ケーブル端部挿通孔１２Ｒａ’に挿通し得、それによって、（ａ）遮蔽型二対結合線路ＣＬが、その第１、第３、第５及び第７のポートＮ１、Ｎ３、Ｎ５及びＮ７側の端部を導電性ブロック１０の遮蔽型二対結合線路端部挿通用導体部１４の第２の遮蔽型二対結合線路端部挿通孔１４ａ内に挿通して、導電性ブロック１０に固定されている場合、第２の同軸ケーブルＣＡ２の第１０のポートＮ１０の遊端が遮蔽型二対結合線路ＣＬの第２のポートＮ２に近接乃至対接し、その状態で、（ｉ）第２の同軸ケーブルＣＡ２の第３の外部導体６が第２の同軸ケーブル端部挿通用導体部５２Ｒに半田付けなどによって連結されまたは連結され得、それによって、第２の同軸ケーブルＣＡ２が導電性ブロック１０に固定され得るようになされているとともに、（ｉｉ）第２の同軸ケーブルＣＡ２の第１０のポートＮ１０の遊端が遮蔽型二対結合線路ＣＬの第３のポートＮ３に連結され得るようになされ、また、（ｂ）遮蔽型二対結合線路ＣＬが、その第２、第４、第６及び第８のポートＮ２、Ｎ４、Ｎ６及びＮ８側の端部を導電性ブロック１０の遮蔽型二対結合線路端部挿通用導体部１４の第２の遮蔽型二対結合線路端部挿通孔１４ａ内に挿通して、導電性ブロック１０に固定されている場合、第２の同軸ケーブルＣＡ２の第１０のポートＮ１０の遊端が遮蔽型二対結合線路ＣＬの第４のポートＮ４に近接乃至対接し、その状態で、（ｉ）第２の同軸ケーブルＣＡ２の第３の外部導体６が第２の同軸ケーブル端部挿通用導体部５２Ｒに半田付けなどによって連結されまたは連結され得、それによって、第２の同軸ケーブルＣＡ２が導電性ブロック１０に固定され得るようになされているとともに、（ｉｉ）第２の同軸ケーブルＣＡ２の第１０のポートＮ１０の遊端が遮蔽型二対結合線路ＣＬの第４のポートＮ４に連結され得るようになされている。
【００５０】
さらに、本発明による遮蔽型二対結合線路コネクタの第１の実施の形態においては、図１９に示すように、上述したようにして、導電性ブロック１０の底板部１１上に第１の遮蔽用導体板１５が固定され、遮蔽型二対結合線路ＣＬが導電性ブロック１０に固定され、第１の同軸ケーブルの第９のポートＮ９及び第２の同軸ケーブルの第１０のポートＮ１０の遊端が、導電性ブロック１０に固定されている遮蔽型二対結合線路ＣＬの第１及び第３のポートＮ１及びＮ３、または第２及び第４のポートＮ２及びＮ４にそれぞれ連結されている状態で、第２の遮蔽用導体板１６が、第１の遮蔽用導体板１５上に、それと、それらの外周面に臨むそれらの接合位置での半田付けなどによって、連結して、固定配置されまたは固定配置され得るようになされている。
【００５１】
また、本発明による遮蔽型二対結合線路コネクタの第１の実施の形態においては、同じく図１９に示すように、上述したようにして、第２の遮蔽用導体板１６が第１の遮蔽用導体板１５上に固定配置されている状態で、上述した導電性筒状カバー体１７が、その前面板１７ａ及び背面板１７ｂを、導電性ブロック１０の底板部１１、左板部１２Ｌ及び右板部１２Ｒ、及び第１及び第２の遮蔽用導体板１５及び１６の前端面及び後端面にそれぞれ当接させ、上面板１７ｃを、導電性ブロック１０の左板部１２Ｌ及び右板部１２Ｒの上端面、及び第２の遮蔽用導体板１６の上面に当接させ、下面板１７ｄを、その切込み１７ｆ内に遮蔽型二対結合線路端部挿通用導体部１４を挿入させ且つ導電性ブロック１０の底板部１１の下端面と当接させて、導電性ブロック１０を、第１及び第２の内部導体内装絶縁柱体配置用導体部１３Ｌ及び１３Ｒ、及び遮蔽型二対結合線路挿通用導体部１４を除いて、カバーし得、そして、第２の遮蔽用導体板１６に、上面板１７ｃの孔１７ｅの位置において、例えば半田付けによって、連結され得るようになされている。
【００５２】
以上で、本発明による遮蔽型二対結合線路コネクタの第２の実施の形態の構成が明らかとなった。
【００５３】
このような構成を有する本発明による遮蔽型二対結合線路コネクタの第２の実施の形態によれば、上述したところから明らかなように、且つ本発明による遮蔽型二対結合線路コネクタの第１の実施の形態の場合に準じて、
▲１▼導電性ブロック１０の底板部１１上に、図２１に示すように、第１の遮蔽用導体板１５を、導電性ブロック１０の左板部１２Ｌ及び右板部１２Ｒ間に底板部１１の第１の遮蔽型二対結合線路端部挿通孔１１ａを覆って延長している状態に、底板部１１、及び左板部１２Ｌ及び右板部１２Ｒと連結して、固定して配置し、
▲２▼次に、またはその前に、遮蔽型二対結合線路ＣＬを、図２１に示すように、導電性ブロック１０に、その底板部１１上に第１の遮蔽用導体板１５が固定して配されているとした場合でみて、（ｉ）遮蔽型二対結合線路ＣＬの端面が第１の遮蔽用導体板１５の下面に接触しているとともに、遮蔽型二対結合線路ＣＬの第１及び第３のポートＮ１及びＮ３、または第２及び第４のポートＮ２及びＮ４の遊端が、第１の遮蔽用導体板１５の第１及び第２の切欠１５ａ及び１５ｂ内にそれぞれ位置されている状態に、且つ（ｉｉ）遮蔽型二対結合線路ＣＬの第１及び第３のポートＮ１及びＮ３の遊端が第１及び第２の切欠１５ａ及び１５ｂ内に位置されているか、または遮蔽型二対結合線路ＣＬの第２及び第４のポートＮ２及びＮ４の遊端が第１及び第２の切欠１５ａ及び１５ｂ内にそれぞれ位置されているかに応じて、遮蔽型二対結合線路ＣＬの第５及び第７のポートＮ５及びＮ７、または第６及び第８のポートＮ６及びＮ８が、第１の遮蔽用導体板１５の第１及び第２のポート挿通用貫通孔１５ｃ及び１５ｄにそれぞれ挿入されている状態に、固定し、
▲３▼次に、またはその前に、もしくは導電性ブロック１０の底板部１１上に第１の遮蔽用導体板１５を上述したように固定配置する前に、図１９に示すように、導電性ブロック１０の底板部１１上に第１の遮蔽用導体板１５が上述したように固定して配され且つ導電性ブロック１０に遮蔽型二対結合線路ＣＬが上述したように固定されているとした場合でみて、（ａ）第１の同軸ケーブルＣＡ１を、導電性ブロック１０に、（ｉ）第１の同軸ケーブルＣＡ１の第２の外部導体４を有する領域の第９のポートＮ９側の端部が導電性ブロック１０の第１の同軸ケーブル端部挿通孔導体部５２Ｌの第３の同軸ケーブル端部挿通孔５２Ｌａ内に挿入され、（ｉｉ）第１の同軸ケーブルＣＡ１の第２の絶縁柱体３の第９のポートＮ９側の端部が導電性ブロック１０の左板部１２Ｌの第１の同軸ケーブル端部挿通孔１２Ｌａ’に挿通され、（ｉｉｉ）第１の同軸ケーブルＣＡ１の第９のポートＮ９が第１の遮蔽用導体板１５の第１の切欠１５ａ内に位置され、（ｉｖ）その第９のポートＮ９の端部が、第１の遮蔽用導体板１５の第１の切欠１５ａ内に遮蔽型二対結合線路ＣＬの第１のポートＮ１が位置されているかまたは遮蔽型二対結合線路ＣＬの第２のポートＮ２が位置されているかに応じて、その遮蔽型二対結合線路ＣＬの第１のポートＮ１または第２のポートＮ２に近接乃至対接されている、という状態に、固定し、また、（ｂ）第２の同軸ケーブルＣＡ２を、導電性ブロック１０に、（ｉ）第２の同軸ケーブルＣＡ２の第３の外部導体６を有する領域の第１０のポートＮ１０側の端部が導電性ブロック１０の第２の同軸ケーブル端部挿通孔導体部５２Ｒの第４の同軸ケーブル端部挿通孔５２Ｒａ内に挿入され、（ｉｉ）第２の同軸ケーブルＣＡ２の第３の絶縁柱体５の第１０のポートＮ１０側の端部が導電性ブロック１０の右板部１２Ｒの第２の同軸ケーブル端部挿通孔１２Ｒａ’に挿通され、（ｉｉｉ）第２の同軸ケーブルＣＡ２の第１０のポートＮ１０が第１の遮蔽用導体板１５の第２の切欠１５ｂ内に位置され、（ｉｖ）その第１０のポートＮ１０の端部が、第１の遮蔽用導体板１５の第２の切欠１５ｂ内に遮蔽型二対結合線路ＣＬの第３のポートＮ３が位置されているかまたは遮蔽型二対結合線路ＣＬの第４のポートＮ４が位置されているかに応じて、遮蔽型二対結合線路ＣＬの第３のポートＮ３または第４のポートＮ４に近接乃至対接されている、という状態に、固定し、
▲４▼次に、遮蔽型二対結合線路ＣＬの第１及び第３のポートＮ１及びＮ３の遊端が第１の遮蔽用導体板１５の第１及び第２の切欠１５ａ及び１５ｂ内にそれぞれ位置されているか、または遮蔽型二対結合線路ＣＬの第２及び第４のポートＮ２及びＮ４の遊端が第１の遮蔽用導体板１５の第１及び第２の切欠１５ａ及び１５ｂ内にそれぞれ位置されているかに応じて、その遮蔽型二対結合線路ＣＬの第１及び第３のポートＮ１及びＮ３、または第２及び第４のポートＮ２及びＮ４の遊端を、同じく図１９に示すように、第１の同軸ケーブルＣＡ１の第９のポートＮ９及び第２の同軸ケーブルＣＡ２の第１０のポートＮ１０の遊端にそれぞれ連結するとともに、遮蔽型二対結合線路ＣＬの第５及び第７のポートＮ５及びＮ７が第１の遮蔽用導体板１５の第１及び第２のポート挿通用貫通孔１５ｃ及び１５ｄに挿入されているか、または遮蔽型二対結合線路ＣＬの第６及び第８のポートＮ６及びＮ８が第１の遮蔽用導体板１５の第１及び第２のポート挿通用貫通孔１５ｃ及び１５ｄに挿入されているかに応じて、その遮蔽型二対結合線路ＣＬの第５及び第７のポートＮ５及びＮ７、または第６及び第８のポートＮ６及びＮ８を、第１の遮蔽用導体板１５に連結し、
▲５▼次に、第１の遮蔽用導体板１５上に、同じく図１９に示すように、図７を伴って上述した第２の遮蔽用導体板１６を、第１の遮蔽用導体板１５と連結して固定配置し、
▲６▼次に、図８を伴って上述した導電性筒状カバー体１７を、それによって、同じく図１１に示すように、図８を伴って上述した導電性ブロック１０をカバーして、導電性ブロック１０に固定配置する、
ということができる。
【００５４】
以上のことから、本発明による遮蔽型二対結合線路コネクタの第２の実施の形態によれば、図１９に示すように、且つ本発明による遮蔽型二対結合線路コネクタの第１の実施の形態の場合に準じて、第１及び第２の同軸ケーブルＣＡ１及びＣＡ２を、第５及び第７のポートＮ５及びＮ７、または第６及び第８のポートＮ６及びＮ８が第１の外部導体２に連結されている遮蔽型二対結合線路ＣＬに、（ｉ）第１の同軸ケーブルＣＡ１の第９のポートＮ９及び第２の同軸ケーブルＣＡ２の第１０のポートＮ１０が、遮蔽型二対結合線路ＣＬの第５及び第７のポートＮ５及びＮ７が遮蔽型二対結合線路ＣＬの第１の外部導体２に連結されているか、または遮蔽型二対結合線路ＣＬの第６及び第８のポートＮ６及びＮ８が遮蔽型二対結合線路ＣＬの第１の外部導体２に連結されているかに応じて、遮蔽型二対結合線路ＣＬの第１及び第３のポートＮ１及びＮ３、または第２及び第４のポートＮ２及びＮ４にそれぞれ連結され、且つ（ｉｉ）第１の同軸ケーブルＣＡ１の第２の外部導体４及び第２の同軸ケーブルＣＡ２の第３の外部導体６が、遮蔽型二対結合線路ＣＬの第１の外部導体２に連結されている、という状態に、連結させることができる。
【００５５】
そして、上述したようにして、第１及び第２の同軸ケーブルＣＡ１及びＣＡ２が、第５及び第７のポートＮ５及びＮ７を第１の外部導体２に連結している遮蔽型二対結合線路ＣＬに、第１の同軸ケーブルＣＡ１の第９のポートＮ９及び第２の同軸ケーブルＣＡ２の第１０のポートＮ１０が遮蔽型二対結合線路ＣＬの第１及び第３のポートＮ１及びＮ３にそれぞれ連結されている状態に、連結されている場合、本発明による遮蔽型二対結合線路コネクタの第１の実施の形態の場合に準じて、（ａ）（ｉ）遮蔽型二対結合線路ＣＬの第１及び第３のポートＮ１及びＮ３が、導電性ブロック１０の底板部１１上にそれと連結し且つ下面を遮蔽型二対結合線路ＣＬの端面に接触させて固定配置されている第１の遮蔽用導体板１５の切欠１５ａ及び１５ｂ内に位置されて、第１の同軸ケーブルＣＡ１の第９のポートＮ９及び第２の同軸ケーブルＣＡ２の第１０のポートＮ１０にそれぞれ連結され、且つ（ｉｉ）遮蔽型二対結合線路ＣＬの第５及び第７のポートＮ５及びＮ７が、導電性ブロック１０の底板部１１上にそれと連結し且つ下面を遮蔽型二対結合線路ＣＬの端面に接触させて固定配置されている第１の遮蔽用導体板１５の第１及び第２のポート挿通用貫通孔１５ｃ及び１５ｄ内に挿入されて、第１の遮蔽用導体板１５に連結されているとともに、（ｉｉｉ）遮蔽型二対結合線路ＣＬの第１のポートＮ１及び第１の同軸ケーブルＣＡ１の第９のポートＮ９の組及び遮蔽型二対結合線路ＣＬの第３のポートＮ３及び第２の同軸ケーブルＣＡ２の第１０のポートＮ１０の組のそれぞれが、導電性ブロック１０の底板部１１上にそれと連結し且つ下面を遮蔽型二対結合線路ＣＬの端面に接触させて固定配置され且つ遮蔽型二対結合線路ＣＬの第５及び第７のポートＮ５及びＮ７を連結している第１の遮蔽用導体板１５によって取囲まれているように配され、しかも、（ｉｖ）その第１の遮蔽用導体板１５上に、第２の遮蔽用導体板１６が、第１の遮蔽用導体板１５と連結し且つ遮蔽型二対結合線路ＣＬの第１のポートＮ１及び第１の同軸ケーブルＣＡ１の第９のポートＮ９の組、及び遮蔽型二対結合線路ＣＬの第３のポートＮ３及び第２の同軸ケーブルＣＡ２の第１０のポートＮ１０の組を覆って固定配置されているので、（ｂ）（ｉ）遮蔽型二対結合線路ＣＬの第５及び第７のポートＮ５及びＮ７間において電磁的な結合が実質的に生じないとともに、（ｉｉ）遮蔽型二対結合線路ＣＬの第１のポートＮ１及び第１の同軸ケーブルＣＡ１の第９のポートＮ９と、遮蔽型二対結合線路ＣＬの第３のポートＮ３及び第２の同軸ケーブルＣＡ２の第１０のポートＮ１０、及び遮蔽型二対結合線路ＣＬの第５及び第７のポートＮ５及びＮ７との間においても、電磁的な結合が実質的に生じない。
【００５６】
また、上述したようにして、第１及び第２の同軸ケーブルＣＡ１及びＣＡ２が、第６及び第８のポートＮ６及びＮ８を第１の外部導体２に連結している遮蔽型二対結合線路ＣＬに、第１の同軸ケーブルＣＡ１の第９のポートＮ９及び第２の同軸ケーブルＣＡ２の第１０のポートＮ１０が遮蔽型二対結合線路ＣＬの第２及び第４のポートＮ２及びＮ４にそれぞれ連結している状態に、連結されている場合、同様に、本発明による遮蔽型二対結合線路コネクタの第１の実施の形態の場合に準じて、（ａ）（ｉ）遮蔽型二対結合線路ＣＬの第２及び第４のポートＮ２及びＮ４が、導電性ブロック１０の底板部１１上にそれと連結し且つ下面を遮蔽型二対結合線路ＣＬの端面に接触させて固定配置されている第１の遮蔽用導体板１５の切欠１５ａ及び１５ｂ内に位置されて、第１の同軸ケーブルＣＡ１の第９のポートＮ９及び第２の同軸ケーブルＣＡ２の第１０のポートＮ１０にそれぞれ連結され、且つ（ｉｉ）遮蔽型二対結合線路ＣＬの第６及び第８のポートＮ６及びＮ８が、導電性ブロック１０の底板部１１上にそれと連結し且つ下面を遮蔽型二対結合線路ＣＬの端面に接触させて固定配置されている第１の遮蔽用導体板１５の第１及び第２のポート挿通用貫通孔１５ｃ及び１５ｄ内に挿入されて、第１の遮蔽用導体板１５に連結されているとともに、（ｉｉｉ）遮蔽型二対結合線路ＣＬの第２のポートＮ２及び第１の同軸ケーブルＣＡ１の第９のポートＮ９の組及び遮蔽型二対結合線路ＣＬの第４のポートＮ４及び第２の同軸ケーブルＣＡ２の第１０のポートＮ１０の組のそれぞれが、導電性ブロック１０の底板部１１上にそれと連結し且つ下面を遮蔽型二対結合線路ＣＬの端面に接触させて固定配置され且つ遮蔽型二対結合線路ＣＬの第６及び第８のポートＮ６及びＮ８を連結している第１の遮蔽用導体板１５によって取囲まれているように配され、しかも、（ｉｖ）その第１の遮蔽用導体板１５上に、第２の遮蔽用導体板１６が、第１の遮蔽用導体板１５と連結し且つ遮蔽型二対結合線路ＣＬの第２のポートＮ２及び第１の同軸ケーブルＣＡ１の第９のポートＮ９の組、及び遮蔽型二対結合線路ＣＬの第４のポートＮ４及び第２の同軸ケーブルＣＡ２の第１０のポートＮ１０の組を覆って固定配置されているので、遮蔽型二対結合線路ＣＬの第６及び第８のポートＮ６及びＮ８間において電磁的な結合が実質的に生じないとともに、遮蔽型二対結合線路ＣＬの第２のポートＮ２及び第１の同軸ケーブルＣＡ１の第９のポートＮ９と、遮蔽型二対結合線路ＣＬの第４のポートＮ４及び第２の同軸ケーブルＣＡ２の第１０のポートＮ１０、及び遮蔽型二対結合線路ＣＬの第６及び第８のポートＮ６及びＮ８との間においても、電磁的な結合が実質的に生じない。
【００５７】
このため、本発明による遮蔽型二対結合線路コネクタの第２の実施の形態による場合も、本発明による遮蔽型二対結合線路コネクタの第１の実施の形態の場合と同様に、（Ａ）［発明が解決しようとする課題］で述べた、所望事項、すなわち、（ａ）（ｉ）遮蔽型二対結合線路ＣＬの第１のポートＮ１及び第１の外部導体２間に第１の高周波信号Ｓ１を第１の同軸ケーブルＣＡ１を介して供給し、且つ（ｉｉ）遮蔽型二対結合線路ＣＬの第３のポートＮ３及び第１の外部導体２間に得られる第３の高周波信号Ｓ３を第２の同軸ケーブルＣＡ２を介して得ること、及び（ｂ）（ｉ）遮蔽型二対結合線路ＣＬの第２のポートＮ２及び第１の外部導体２間に得られる第２の高周波信号Ｓ２を第１の同軸ケーブルＣＡ１を介して得、且つ（ｉｉ）抵抗Ｒ４を遮蔽型二対結合線路ＣＬの第４のポートＮ４及び第１の外部導体２間に第２の同軸ケーブルＣＡ２を介して接続することを、容易に満足させ、そして、第２及び第３の高周波信号Ｓ２及びＳ３の電力比Ｇ２３が予定の値から変化しないか予定の値から変化するとしても予定の許容値の範囲内でしか変化することなしに得られるように、（Ｂ）（ａ）（ｉ）第１の同軸ケーブルＣＡ１の第９のポートＮ９及び第２の外部導体４を遮蔽型二対結合線路ＣＬの第１のポートＮ１及び第１の外部導体２にそれぞれ連結し、且つ（ｉｉ）第２の同軸ケーブルＣＡ２の第１０のポートＮ１０及び第３の外部導体６を遮蔽型二対結合線路ＣＬの第３のポートＮ３及び第１の外部導体２にそれぞれ連結するとともに、（ｉｉｉ）遮蔽型二対結合線路ＣＬの第５及び第７のポートＮ５及びＮ７を遮蔽型二対結合線路ＣＬの第１の外部導体２に連結すること、及び（ｂ）（ｉ）第１の同軸ケーブルＣＡ１の第９のポートＮ９及び第２の外部導体４を遮蔽型二対結合線路ＣＬの第２のポートＮ２及び第１の外部導体２にそれぞれ連結し、且つ（ｉｉ）第２の同軸ケーブルＣＡ２の第１０のポートＮ１０及び第３の外部導体６を遮蔽型二対結合線路ＣＬの第４のポートＮ４及び第１の外部導体２にそれぞれ連結するとともに、（ｉｉｉ）遮蔽型二対結合線路ＣＬの第６及び第８のポートＮ６及びＮ８を遮蔽型二対結合線路ＣＬの第１の外部導体２に連結することを、遮蔽型二対結合線路ＣＬの第１及び第２の内部導体Ｌ１及びＬ２間の高周波結合度Ｃ１２を予定の値から変化せしめないか予定の値から変化せしめるとしても予定の許容値の範囲内でしか変化せしめることなしに、確実に、行うことができる。
【００５８】
【本発明の他の実施の形態】
上述した［発明の実施の形態１］及び［発明の実施の形態２］は、いずれも、本発明による遮蔽型二対結合線路コネクタの実施の形態を例示したに過ぎず、本発明の精神を脱することなしに、種々の変型、変更をなし得ることは明らかであろう。
【００５９】
【発明の効果】
（Ａ）（ａ）（ｉ）遮蔽型二対結合線路の第１のポート及び第１の外部導体間に第１の高周波信号を第１の同軸ケーブルを介して供給し、且つ（ｉｉ）遮蔽型二対結合線路の第３のポート及び第１の外部導体間に得られる第３の高周波信号を第２の同軸ケーブルを介して得ること、及び（ｂ）（ｉ）遮蔽型二対結合線路の第２のポート及び第１の外部導体間に得られる第２の高周波信号を第１の同軸ケーブルを介して得、且つ（ｉｉ）抵抗を遮蔽型二対結合線路の第４のポート及び第１の外部導体間に第２の同軸ケーブルを介して接続することを、容易に満足させ、そして、第２及び第３の高周波信号の電力比が予定の値から変化しないか予定の値から変化するとしても予定の許容値の範囲内でしか変化することなしに得られるように、（Ｂ）（ａ）（ｉ）第１の同軸ケーブルの第９のポート及び第２の外部導体を遮蔽型二対結合線路の第１のポート及び第１の外部導体にそれぞれ連結し、且つ（ｉｉ）第２の同軸ケーブルの第１０のポート及び第３の外部導体を遮蔽型二対結合線路の第３のポート及び第１の外部導体にそれぞれ連結するとともに、（ｉｉｉ）遮蔽型二対結合線路の第５及び第７のポートを遮蔽型二対結合線路の第１の外部導体に連結すること、及び（ｂ）（ｉ）第１の同軸ケーブルの第９のポート及び第２の外部導体を遮蔽型二対結合線路の第２のポート及び第１の外部導体にそれぞれ連結し、且つ（ｉｉ）第２の同軸ケーブルの第１０のポート及び第３の外部導体を遮蔽型二対結合線路の第４のポート及び第１の外部導体にそれぞれ連結するとともに、（ｉｉｉ）遮蔽型二対結合線路の第６及び第８のポートを遮蔽型二対結合線路の第１の外部導体に連結することを、遮蔽型二対結合線路の第１及び第２の内部導体間の高周波結合度を予定の値から変化せしめないか予定の値から変化せしめるとしても予定の許容値の範囲内でしか変化せしめることなしに、確実に、行うことができる。
【図面の簡単な説明】
【図１】本発明による遮蔽型二対結合線路コネクタの第１の実施の形態を、その使用状態で示す略線的平面図（図１Ａ）、そのＢ−Ｂ線上の断面図（図１Ｂ）、及び図１ＡのＣ−Ｃ線上の断面図（図１Ｃ）である。
【図２】本発明による遮蔽型二対結合線路コネクタの第１の実施の形態を用いて第１及び第２の同軸ケーブルが連結される遮蔽型二対結合線路を、その使用方法とともに示す略線的斜視図（図２Ａ）、その横断面図（図２Ｂ）及び縦断面図（図２Ｃ）である。
【図３】本発明による遮蔽型二対結合線路コネクタの第１の実施の形態を用いて遮蔽型二対結合線路に連結される第１及び第２の同軸ケーブルを示す一部の略線的斜視図（図３Ａ）、その一部を断面で示す平面図（図３Ｂ）である。
【図４】本発明による遮蔽型二対結合線路コネクタの第２の実施の形態を用いて遮蔽型二対結合線路に連結される第１及び第２の同軸ケーブルを示す一部の略線的斜視図（図４Ａ）、その一部を断面で示す平面図（図４Ｂ）である。
【図５】本発明による遮蔽型二対結合線路コネクタの第１の実施の形態を構成している導電性ブロックを示す平面図（図５Ａ）、そのＢ−Ｂ線上の断面図（図５Ｂ）、及び図５ＡのＣ−Ｃ線上の断面図（図５Ｃ）である。
【図６】本発明による遮蔽型二対結合線路コネクタの第１及び第２の実施の形態を構成している第１の遮蔽用導体板を示す平面図（図６Ａ）、そのＢ−Ｂ線上の断面図（図６Ｂ）、及び図６ＡのＣ−Ｃ線上の断面図（図６Ｃ）である。
【図７】本発明による遮蔽型二対結合線路コネクタの第１及び第２の実施の形態を構成している第２の遮蔽用導体板を示す平面図（図７Ａ）、そのＢ−Ｂ線上の断面図（図７Ｂ）、及び図７ＡのＣ−Ｃ線上の断面図（図７Ｃ）である。
【図８】本発明による遮蔽型二対結合線路コネクタの第１及び第２の実施の形態を構成している導電性筒状カバー体を示す平面図（図８Ａ）、そのＢ−Ｂ線上の断面図（図８Ｂ）、及び図８ＡのＣ−Ｃ線上の断面図（図８Ｃ）である。
【図９】本発明による遮蔽型二対結合線路コネクタの第１の実施の形態を構成している第１及び第２の内部導体内装絶縁柱体を示す平面図（図９Ａ）、そのＢ−Ｂ線上の断面図（図９Ｂ）、及び図９Ａの右側面図（図９Ｃ）である。
【図１０】本発明による遮蔽型二対結合線路コネクタの第１の実施の形態の説明に供する、図５に示す導電性ブロックに図６に示す第１の遮蔽用導体板と図９に示す第１及び第２の内部導体内装絶縁柱体とを固定している状態を示す平面図（図１０Ａ）、そのＢ−Ｂ線上の断面図（図１０Ｂ）、及び図１０ＡのＣ−Ｃ線上の断面図（図１０Ｃ）である。
【図１１】本発明による遮蔽型二対結合線路コネクタの第１の実施の形態の説明に供する、図５に示す導電性ブロックに図６に示す第１の遮蔽用導体板と図９に示す第１及び第２の内部導体内装絶縁柱体と図２に示す遮蔽型二対結合線路を固定し且つ第１の遮蔽用導体板上に図７に示す第２の遮蔽用導体板を固定するとともに導電性ブロックを図８に示す導電性筒状カバー体でカバーしている状態を示す平面図（図１１Ａ）、そのＢ−Ｂ線上の断面図（図１１Ｂ）、及び図１１ＡのＣ−Ｃ線上の断面図（図１１Ｃ）である。
【図１２】本発明による遮蔽型二対結合線路コネクタの第１の実施の形態の説明に供する、第３及び第４の同軸ケーブルコネクタをそれぞれ構成している第９及び第１０の内部導体を、一部を断面で示す平面図（図１２Ａ）、その右側面図（図１２Ｂ）である。
【図１３】本発明による遮蔽型二対結合線路コネクタの第１の実施の形態の説明に供する、第３及び第４の同軸ケーブルコネクタをそれぞれ構成している第６及び第７の絶縁柱体を、一部を断面で示す平面図（図１３Ａ）、そのＢ−Ｂ線上の断面図（図１３Ｂ）である。
【図１４】本発明による遮蔽型二対結合線路コネクタの第１の実施の形態の説明に供する、第３及び第４の同軸ケーブルコネクタをそれぞれ構成している第４及び第５の外部導体を示す平面図（図１４Ａ）、及びそのＢ−Ｂ線上の断面図（図１４Ｂ）である。
【図１５】本発明による遮蔽型二対結合線路コネクタの第１の実施の形態の説明に供する、第３及び第４の同軸ケーブルコネクタをそれぞれ構成している第１及び第２の連結用筒状導体を示す平面図（図１５Ａ）、及びそのＢ−Ｂ線上の断面図（図１５Ｂ）である。
【図１６】本発明による遮蔽型二対結合線路コネクタの第１の実施の形態の説明に供する、第３及び第４の同軸ケーブルコネクタをそれぞれ構成している第１及び第２のＣリング導体を示す平面図（図１６Ａ）、及びそのＢ−Ｂ線上の断面図（図１６Ｂ）である。
【図１７】本発明による遮蔽型二対結合線路コネクタの第１の実施の形態の説明に供する、図３に示す第１及び第２の同軸ケーブルの端部に第３及び第４の同軸ケーブルコネクタがそれぞれ連結されている状態（１７Ｄ）、及びその状態が得られるまでの順次の状態（図１７Ａ〜Ｃ）を示す断面図である。
【図１８】本発明による遮蔽型二対結合線路コネクタの第１の実施の形態の説明に供する、図３に示す第１及び第２の同軸ケーブルの端部に第３及び第４の同軸ケーブルコネクタがそれぞれ連結されている状態（１８Ｄ）、及びその状態が得られるまでの他の順次の状態（図１８Ａ〜Ｃ）を示す断面図である。
【図１９】本発明による遮蔽型二対結合線路コネクタの第２の実施の形態をその使用状態で示す略線的平面図（図１９Ａ）、そのＢ−Ｂ線上の断面図（図１９Ｂ）、及び図１９ＡのＣ−Ｃ線上の断面図（図１９Ｃ）である。
【図２０】本発明による遮蔽型二対結合線路コネクタの第２の実施の形態を構成している導電性ブロックを示す平面図（図２０Ａ）、そのＢ−Ｂ線上の断面図（図２０Ｂ）、及び図２０ＡのＣ−Ｃ線上の断面図（図２０Ｃ）である。
【図２１】本発明による遮蔽型二対結合線路コネクタの第２の実施の形態の説明に供する、図２０に示す導電性ブロックに図６に示す第１の遮蔽用導体板と図２に示す遮蔽型二対結合線路とを固定している状態を示す平面図（図２１Ａ）、そのＢ−Ｂ線上の断面図（図２１Ｂ）、及び図２１ＡのＣ−Ｃ線上の断面図（図２１Ｃ）である。
【符号の説明】
１…………第１の絶縁柱体
１ａ………第１の端面
１ｂ………第２の端面
２…………第１の外部導体
３…………第２の絶縁柱体
４…………第２の外部導体
５…………第３の絶縁体
６…………第３の外部導体
１０………導電性ブロック
１１………底板部
１１ａ……第１の遮蔽型二対結合線路端部挿通孔
１２Ｌ……左板部
１２Ｌａ…第１の内部導体内装絶縁柱体端部挿通孔
１２Ｒ……右板部
１２Ｒａ…第２の内部導体内装絶縁柱体端部挿通孔
１３Ｌ……第１の内部導体内装絶縁柱体配置用導体部
１３Ｌａ…第１の内部導体内装絶縁柱体配置孔
１３Ｌｂ…第１の外部導体連結用部
１３Ｒ……第２の内部導体内装絶縁柱体配置用導体部
１３Ｒａ…第２の内部導体内装絶縁柱体配置孔
１３Ｒｂ…第２の外部導体連結用部
１４………遮蔽型二対結合線路端部挿通用導体部
１４ａ……第２の遮蔽型二対結合線路端部挿通孔
１５………第１の遮蔽用導体板
１５ａ……第１の切欠
１５ｂ……第２の切欠
１５ｃ……第１のポート挿通用貫通孔
１５ｄ……第２のポート挿通用貫通孔
１６………第２の遮蔽用導体板
１７………導電性筒状カバー体
１７ａ……前面板
１７ｂ……背面板
１７ｃ……上面板
１７ｄ……下面板
１７ｅ……孔
１７ｆ……切込み
２０………第１の内部導体内装絶縁柱体
２１………第４の絶縁柱体
２２………第７の内部導体
２２ａ……第１の内部導体連結用部
２４………第２の内部導体内装絶縁柱体
２５………第５の絶縁柱体
２６………第８の内部導体
２６ａ……第２の内部導体連結用部
３１………第９の内部導体
３１ａ……第３の内部導体連結用部
３１ｂ……第４の内部導体連結用部
３２………第６の絶縁柱体
３２ａ……第１の内部導体配置孔
３３………第４の外部導体
３３ａ……第１の絶縁柱体配置孔
３３ｂ……第１の同軸ケーブル端部挿通孔
３３ｃ……第１のＣリング導体配置用溝
３４………第１の連結用筒状導体
３４ａ……第１の外部導体挿入孔
３４ａａ…第２のＣリング導体配置用溝
３４ｂ……第１の内部導体内装絶縁柱体配置用導体部挿入孔
３４ｂａ…第３の外部導体連結用部
３５………第１のＣリング導体
４１………第１０の内部導体
４１ａ……第５の内部導体連結用部
４１ｂ……第６の内部導体連結用部
４２………第７の絶縁柱体
４２ａ……第２の内部導体配置孔
４３………第５の外部導体
４３ａ……第２の絶縁柱体配置孔
４３ｂ……第２の同軸ケーブル端部挿通孔
４３ｃ……第３のＣリング導体配置用溝
４４………第２の連結用筒状導体
４４ａ……第２の外部導体挿入孔
４４ａａ…第４のＣリング導体配置用溝
４４ｂ……第２の内部導体内装絶縁柱体配置用導体部挿入孔
４４ｂａ…第４の外部導体連結用部
４５………第２のＣリング導体
５２Ｌ……第１の同軸ケーブル端部挿通用導体部
５２Ｌａ…第３の同軸ケーブル端部挿通孔
５２Ｒ……第２の同軸ケーブル端部挿通用導体部
５２Ｒａ…第４の同軸ケーブル端部挿通孔
ＣＡ１……第１の同軸ケーブル
ＣＡ２……第２の同軸ケーブル
ＣＬ………遮蔽型二対結合線路
ＣＮ１〜ＣＮ４…第１〜第４の同軸ケーブルコネクタ
Ｌ１〜Ｌ６………第１〜第６の内部導体
Ｎ１〜Ｎ１２……第１〜第１２のポート
【図１】
2004055156.tif 000003
【図２】
2004055156.tif 000004
【図３】
2004055156.tif 000005
【図４】
2004055156.tif 000006
【図５】
2004055156.tif 000007
【図６】
2004055156.tif 000008
【図７】
2004055156.tif 000009
【図８】
2004055156.tif 000010
【図９】
2004055156.tif 000011
【図１０】
2004055156.tif 000012
【図１１】
2004055156.tif 000013
【図１２】
2004055156.tif 000014
【図１３】
2004055156.tif 000015
【図１４】
2004055156.tif 000016
【図１５】
2004055156.tif 000017
【図１６】
2004055156.tif 000018
【図１７】
2004055156.tif 000019
【図１８】
2004055156.tif 000020
【図１９】
2004055156.tif 000021
【図２０】
2004055156.tif 000022
【図２１】
2004055156.tif 000023